(57)【要約】【課題】  単一のＵＥに対して２つ以上のアプリケーションがサポートされる要件が存在する状況を提供する。【解決手段】  パラメーター、有効時間を、ＨＳＳがＳＣＥＦから受信する。ＨＳＳは、有効時間、パラメーターを格納し、インサート加入者データ手順を用いて、ＭＭＥに対し、有効時間、パラメーターの規定を開始する。該ＨＳＳに格納されたパラメーターの有効時間が満了したとき、ＨＳＳはそのパラメーターを削除する。【選択図】  図１２
2020099084.tif 000002
【特許請求の範囲】
【請求項１】
通信ネットワークのホーム加入者サーバー（ＨＳＳ）であって、該ＨＳＳは、
サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）から、通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に受信するように構成された受信機と、
前記パラメーターを格納する制御装置とを備え、
前記パラメーターは、ユーザ機器（ＵＥ）に固有である、
ＨＳＳ。
【請求項２】
通信ネットワークのモビリティ管理エンティティ（Ｍｏｂｉｌｉｔｙ  Ｍａｎａｇｅｍｅｎｔ  Ｅｎｔｉｔｙ，ＭＭＥ）であって、該ＭＭＥは、
通信パターン（Ｃｏｍｍｕｎｉｃａｔｉｏｎ  Ｐａｔｔｅｒｎ，ＣＰ）に関連付けられたパラメーターを、前記パラメーターが満了するときを示す、関連する有効時間と共に、ホーム加入者サーバー（ＨＳＳ）から受信するように構成された受信機と、
前記受信されたパラメーターセットを格納し、
該ＭＭＥに格納された前記パラメーターの前記有効時間が満了したときに、前記パラメーターを削除するように構成されるコントローラーと、
を備える、ＭＭＥ。
【請求項３】
通信ネットワークのサービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）であって、該ＳＣＥＦは、
通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に、サービス能力サーバー（ＳＣＳ）／アプリケーションサーバー（ＡＳ）から受信するように構成された受信機と、
前記パラメーターを、前記関連する有効時間と共に、ホーム加入者サーバー（ＨＳＳ）に送信するように構成された送信機とを備えるＳＣＥＦ。
【請求項４】
通信ネットワークのサービス能力サーバー（ＳＣＳ）／アプリケーションサーバー（ＡＳ）であって、該ＳＣＳ／ＡＳは、
サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）に、通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に与えるように、該ＳＡＣ／ＡＳを制御するように構成されたコントローラーを備えるＳＣＳ／ＡＳ。
【請求項５】
通信ネットワークのホーム加入者サーバー（ＨＳＳ）によって実行される方法であって、該方法は、
サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）から、通信パターン（Ｃｏｍｍｕｎｉｃａｔｉｏｎ  Ｐａｔｔｅｒｎ，ＣＰ、）に関連付けられるパラメーターを、前記パラメーターが満了するときを示す、関連する有効時間と共に受信する段階と、
前記パラメーターを格納する段階と、を含み、
前記パラメーターは、ユーザ機器（ＵＥ）に固有である、方法。
【請求項６】
通信ネットワークのモビリティ管理エンティティ（Ｍｏｂｉｌｉｔｙ  Ｍａｎａｇｅｍｅｎｔ  Ｅｎｔｉｔｙ，ＭＭＥ）によって実行される方法であって、該方法は、
通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に、ホーム加入者サーバー（ＨＳＳ）から受信する段階と、
前記受信されたパラメーターセットを格納する段階と、
該ＭＭＥに格納された前記パラメーターの前記有効時間が満了したとき、前記パラメーターを削除する段階とを含む方法。
【請求項７】
通信ネットワークのサービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）によって実行される方法であって、該方法は、
通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に、サービス能力サーバー（ＳＣＳ）／アプリケーションサーバー（ＡＳ）から受信する段階と、
前記パラメーターを、前記関連する有効時間と共に、ホーム加入者サーバー（ＨＳＳ）に送信する段階とを含む方法。
【請求項８】
通信ネットワークのサービス能力サーバー（ＳＣＳ）／アプリケーションサーバー（ＡＳ）によって実行される方法であって、該方法は、
サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）に、通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に、与える段階を含む方法。
【発明の詳細な説明】
【技術分野】
【０００１】
本発明は、モバイル通信デバイス及びネットワークに関し、限定はしないが、特に、発展型パケットコア（ＥＰＣ：Evolved Packet Core）ネットワークのロングタームエボリューション（ＬＴＥ：Long Term Evolution）のような、第３世代パートナーシッププロジェクト（３ＧＰＰ）標準規格又はその同等規格若しくは派生規格に従って動作するモバイル通信デバイス及びネットワークに関する。本発明は、限定はしないが、３ＧＰＰシステムによって提供されるサービス能力が、例えば、１つ以上の標準化されたアプリケーションプログラムインターフェース（ＡＰＩ）を介して第三者サービスプロバイダーに公開されるサービス能力公開フレームワークのためのアーキテクチャ向上に特に関連する。
【背景技術】
【０００２】
モバイル（セルラー）通信ネットワークでは、（ユーザー）通信デバイス（ユーザー機器（ＵＥ）、例えばモバイル電話としても知られている）が、基地局を介してデータパケットをリモートサーバー又は他の通信デバイスと通信する。各基地局はコアネットワーク（ＥＰＣネットワーク等）に接続され、コアネットワークは更に、ユーザーのための終端間接続性を提供するために他のネットワークに接続される。
【０００３】
３ＧＰＰの活動の一部として、３ＧＰＰネットワークの視点から、３ＧＰＰシステムによって提供されるサービス能力を第三者サービスプロバイダーに公開する方法に関連する検討が行われてきた。この検討は、ＴＲ２３．７０８ｖ１．１．０におけるサービス公開のためのアーキテクチャ向上（ＡＥＳＥ：Architecture Enhancements for Service Exposure）検討項目という名称で３ＧＰＰリリース１３において実行された。
【０００４】
図１は、３ＧＰＰシステム１０１のサービス能力公開概念の原理を上位概念において概略的に示す。図１に示されるように、第三者サービスプロバイダー１０２は、３ＧＰＰシステム１０１に、特定のユーザー機器（ＵＥ）１０３又はＵＥのグループ１０３−１〜１０３−３のための特定のホスト型サービスに関連するサービス情報１０４を提供する。このサービス情報１０４は、サービス能力公開機能（ＳＣＥＦ：Service Capability Exposure Function）１１１に送られ、サービス能力公開機能（ＳＣＥＦ）１１１は第三者サービスプロバイダー１０２に対するアプリケーションプログラミングインターフェース（ＡＰＩ）を終端する。ＳＣＥＦ１１１は、ネットワークのサービス固有最適化をトリガーするために、３ＧＰＰシステム１０１内にこのサービス情報１０４を配信する。
【０００５】
そのような最適化の一例が、ＴＲ２３．７０８ｖ１．１．０の６．５節（「Solution 5:3GPP resource optimizations based on predictable communication patterns of a UE or a group of UEs」）に記載され、図６．５．１．３−１（「Signalling sequence for provisioning of Optimized Network Parameters」）に図示された。便宜上、この例は、本出願の図２にも示される。その例は、１つのＵＥの単一のアプリケーションの通信パターン（ＣＰ）の通信パラメーターを用いて、モビリティ管理エンティティ（ＭＭＥ）のようなノードを規定する方法に関する。
【０００６】
図２において、アプリケーションサーバー（ＡＳ）／サービス能力サーバー（ＳＣＳ）２１３が、Ｓ２２０において、ＵＥ（又はＡＳ２１３と通信しているＵＥのグループ）の通信パターン（ＣＰ）の詳細を、ＮＯＴＩＦＹメッセージを用いてＳＣＥＦ２１１に提供する。ＳＣＥＦ２１１は、Ｓ２２２において、ホーム加入者サーバー（ＨＳＳ）２０９にプロファイル照会を送り、ＵＥ（又はＵＥのグループ）のためのＵＥプロファイルと、セキュリティ関連情報とを取得する。ＳＣＥＦ２１１が、Ｓ２２４において、要求された情報を伴うプロファイル応答を受信するとき、ＳＣＥＦ２１１は、Ｓ２２６において、ＮＯＴＩＦＹ応答メッセージを用いて、ＣＰメッセージに対して確認応答をする。ＳＣＥＦ２１１は、Ｓ２２８において、ＣＰからネットワークパラメーターを導出し、その後、Ｓ２３０において、関連するノードへの関連するネットワークパラメーターを規定する。
【０００７】
１つの例において、第三者サービスプロバイダーからの通信パターンは、「ＣＮ支援ｅＮＢパラメーターチューニング」として知られる３ＧＰＰ機構のために使用される、ＳＣＥＦにおけるネットワークパラメーターの導出に適用される。「ＣＮ支援ｅＮＢパラメーターチューニング」に従って、コアネットワーク、具体的には、ＭＭＥは、起こり得るＵＥ挙動に関連するパラメーターを導出し、これらのパラメーターは、ＵＥとの無線リンクを構成するときに、ＩＤＬＥ状態とＣＯＮＮＥＣＴＥＤ状態（ＡＣＴＩＶＥ状態として知られている）との間の移行が最小化される「適切な」態様において構成するように無線アクセスネットワーク（ＲＡＮ）ノードを支援するために、ＲＡＮノード（例えば、ｅＮＢ）に提供される。
【０００８】
ＣＮ支援ｅＮＢパラメーターチューニングの例において、ＳＣＥＦは、オペレーターポリシーに基づいて、ＣＰから導出された（又は決定された若しくはマッピングされた）適切なネットワークパラメーターの中から選択する。ＳＣＥＦは、例えば、ＳＣＥＦからＭＭＥに直接、又はホーム加入者サーバー（ＨＳＳ）／ホームロケーションレジスタ（ＨＬＲ）を介して、選択されたパラメーターを、対応するＭＭＥ（複数の場合もある）に提供する。ＭＭＥは、その際、ＣＮ支援ｅＮＢパラメーターを導出するためにＣＰを使用することができる。
【０００９】
しかしながら、上記の例は相対的に制限されており、幾つかのシナリオにおいて効率的な規定を提供しない。例えば、上記の例は、単一のＵＥに対して２つ以上のアプリケーションがサポートされる要件が存在する状況を提供しない。そのようなシナリオにおいて、サービス情報を規定する上記の方法は、例えば、異なるアプリケーションのトラフィックが重なり合うことに起因して、全く機能しない。さらに、並列に、又は順次に使用することができるアプリケーションの数に関する実際の制限は存在しないので、ホーム加入者サーバー（ＨＳＳ）においてアプリケーションごとの通信パラメーターを記憶する必要性に伴う拡張性に関して潜在的な問題がある。
【００１０】
さらに、上記の例は、特にＣＰがいつでも送られる場合があることを考えると、第三者サービスプロバイダーが新たな又は更新されたＣＰの詳細を提供するときに、３ＧＰＰシステム内でネットワーク通信パラメーターをいかに効率的に更新できるかに対処しない。
【発明の概要】
【００１１】
したがって、本発明の好ましい実施形態は、上記の問題を克服するか又は少なくとも部分的に緩和する方法及び装置を提供することを目的とする。
【００１２】
本発明は、その一態様として、通信ネットワークのホーム加入者サーバー（ＨＳＳ）であって、該ＨＳＳは、サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）から、通信パターン（Ｃｏｍｍｕｎｉｃａｔｉｏｎ  Ｐａｔｔｅｒｎ，ＣＰ）に関連付けられるパラメーターを、該パラメーターが満了するときを示す、関連する有効時間と共に受信するように構成された受信機と、前記パラメーターを格納する制御装置とを備え、前記パラメーターは、ユーザ機器（ＵＥ）に固有である、ＨＳＳを提供する。
【００１３】
また、本発明は、他の一態様として、通信ネットワークのモビリティ管理エンティティ（Ｍｏｂｉｌｉｔｙ  Ｍａｎａｇｅｍｅｎｔ  Ｅｎｔｉｔｙ，ＭＭＥ）であって、該ＭＭＥは、通信パターン（Ｃｏｍｍｕｎｉｃａｔｉｏｎ  Ｐａｔｔｅｒｎ，ＣＰ）に関連付けられたパラメーターを、前記パラメーターが満了するときを示す、関連する有効時間と共に、ホーム加入者サーバー（ＨＳＳ）から受信するように構成された受信機と、前記受信されたパラメーターを格納し、該ＭＭＥに格納された前記パラメーターの前記有効時間が満了したときに、前記パラメーターを削除するように構成されるコントローラーと、を備える、ＭＭＥを提供する。
【００１４】
また、本発明は、他の一態様として、通信ネットワークのサービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）であって、該ＳＣＥＦは、通信パターン（Ｃｏｍｍｕｎｉｃａｔｉｏｎ  Ｐａｔｔｅｒｎ，ＣＰ）に関連づけられるパラメーターを、前記パラメーターが満了するときを示す、関連する有効時間と共に、サービス能力サーバー（ＳＣＳ）／アプリケーションサーバー（ＡＳ）から受信するように構成された受信機と、前記パラメーターを、前記関連する有効時間と共に、ホーム加入者サーバー（ＨＳＳ）に送信するように構成された送信機とを備えるＳＣＥＦを提供する。
【００１５】
また、本発明は、他の一態様として、通信ネットワークのサービス能力サーバー（ＳＣＳ）／アプリケーションサーバー（ＡＳ）であって、該ＳＣＳ／ＡＳは、サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）に、通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に与えるように、該ＳＣＳ／ＡＳを制御するように構成されたコントローラーを備えるＳＣＳ／ＡＳを提供する。
【００１６】
発明の一態様として、少なくともひとつの上述のホーム加入者サーバー、少なくともひとつの上述のモビリティ管理エンティティ、少なくともひとつのサービス能力公開機能を備える通信システムが提供される。
【００１７】
また、本発明は、他の一態様として、通信ネットワークのホーム加入者サーバー（ＨＳＳ）によって実行される方法であって、該方法は、サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）から、通信パターン（Ｃｏｍｍｕｎｉｃａｔｉｏｎ  Ｐａｔｔｅｒｎ，ＣＰ、）に関連付けられるパラメーターを、前記パラメーターが満了するときを示す、関連する有効時間と共に受信する段階と、前記パラメーターを格納する段階と、を含み、前記パラメーターは、ユーザ機器（ＵＥ）に固有である、方法を提供する。
【００１８】
また、本発明は、他の一態様として、通信ネットワークのモビリティ管理エンティティ（Ｍｏｂｉｌｉｔｙ  Ｍａｎａｇｅｍｅｎｔ  Ｅｎｔｉｔｙ，ＭＭＥ）によって実行される方法であって、該方法は、通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に、ホーム加入者サーバー（ＨＳＳ）から受信する段階と、前記受信されたパラメーターを格納する段階と、該ＭＭＥに格納された前記パラメーターの前記有効時間が満了したとき、前記パラメーターを削除する段階とを含む方法を提供する。
【００１９】
また、本発明は、他の一態様として、通信ネットワークのサービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＦ）によって実行される方法であって、該方法は、通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に、サービス能力サーバー（ＳＣＳ）／アプリケーションサーバー（ＡＳ）から受信する段階と、前記パラメーターを、前記関連する有効時間と共に、ホーム加入者サーバー（ＨＳＳ）に送信する段階とを含む方法を提供する。
【００２０】
また、本発明は、他の一態様として、通信ネットワークのサービス能力サーバー（ＳＣＳ）／アプリケーションサーバー（ＡＳ）によって実行される方法であって、該方法は、サービス能力公開機能（Ｓｅｒｖｉｃｅ  Ｃａｐａｂｉｌｉｔｙ  Ｅｘｐｏｓｕｒｅ  Ｆｕｎｃｔｉｏｎ，ＳＣＥＰ）に、通信パターン（Ｃｏｍｍｕｎｉｃａｔｉｏｎ  Ｐａｔｔｅｒｎ，ＣＰ）に関連付けられるパラメーターを、前記パラメーターが満了するときを示す、関連する有効時間と共に与える段階を含む方法を提供する。
【００２１】
本発明の態様は、対応するシステム、方法、並びに上記で示した又は特許請求の範囲において記載される態様及び可能な形態において記載されるような方法を実行するようにプログラマブルプロセッサをプログラムするように、及び／又は特許請求の範囲のいずれかの請求項において記載される装置を提供するように適切に構成されたコンピューターをプログラムするように動作可能である命令が記憶されたコンピューター可読記憶媒体のようなコンピュータープログラム製品にまで及ぶ。
【００２２】
本明細書（特許請求の範囲を含む）において開示され、及び／又は図面において示される各特徴は、開示され、及び／又は図示される任意の他の特徴から独立して（又はそれらと組み合わせて）本発明に組み込まれる場合がある。詳細には、限定はしないが、特定の独立請求項に従属する請求項のうちのいずれかの特徴は、任意の組み合わせにおいて又は個々に、その独立請求項に取り込まれる場合がある。
【００２３】
本明細書において説明される例は「ＭＭＥ」の形をとるサービングノードを伴うが、サービングノードは、コアネットワークと端末との間の制御プレーンシグナリングを終端する３ＧＰＰコアネットワーク内の異なる制御プレーン機能エンティティとすることができることは理解されよう。そのようなサービングノードは、例えば、サービングＧＰＲＳサポートノード（ＳＧＳＮ）又はモバイル交換センター（ＭＳＣ）とすることができ、ＭＭＥ又はサービングノードに対する参照は、それに応じて理解されるべきである。
【００２４】
本明細書において説明される例は、アプリケーションサーバー（ＡＳ）を参照しながら説明されてきたが、それらの例は、サービス能力サーバー（ＳＣＳ）等を伴うこともでき、それに応じて、ＡＳに対する参照は、潜在的にＳＣＳを伴うように理解されるべきである。
【００２５】
次に、本発明の例示的な実施形態を、単に例として、添付の図面を参照しながら説明する。
【図面の簡単な説明】
【００２６】
【図１】３ＧＰＰシステムにおけるサービス能力公開の原理を示す簡略化されたブロック図である。
【図２】ＴＲ２３．７０８ｖ１．１．０からの通信パターン規定手順を示す簡略化されたメッセージシーケンス図である。
【図３】本発明の実施形態が適用可能であるタイプのモバイル（セルラー）電気通信システムを示す簡略化されたブロック図である。
【図４】３つのアプリケーションが異なる通信パターンを有する例示的なシナリオを示す簡略化されたグラフである。
【図５】図３に示されるシステムのＵＥの主要機能を示す例示的なブロック図である。
【図６】図３に示されるシステムのｅＮＢの主要機能を示す例示的なブロック図である。
【図７】図３に示されるシステムのＭＭＥの主要機能を示す例示的なブロック図である。
【図８】図３に示されるシステムのＨＳＳの主要機能を示す例示的なブロック図である。
【図９】図３に示されるシステムのＳＣＥＦの主要機能を示す例示的なブロック図である。
【図１０】図３に示されるシステムのＡＳ／ＳＣＳの主要機能を示す例示的なブロック図である。
【図１１】関連する有効性情報を伴う通信パターン（ＣＰ）の規定及び使用に従って通常実行される機能のノード独立呼フローを、簡略化された概要において示すフローチャートである。
【図１２】図１１の例示的なフローを実行しながら、図３のモバイル電気通信システムの構成要素によって実行される方法を示す例示的なメッセージシーケンス図である。
【図１３】図１１の例示的なフローを実行しながら、図３のモバイル電気通信システムの構成要素によって実行される方法を示す例示的なメッセージシーケンス図である。
【図１４】図１１の例示的なフローを実行しながら、図３のモバイル電気通信システムの構成要素によって実行される方法を示す例示的なメッセージシーケンス図である。
【図１５】関連するステータス情報を伴う通信パターン（ＣＰ）の規定及び使用に従って通常実行される機能のノード独立呼フローを簡略化された概要において示すフローチャートである。
【図１６】図１５の例示的なフローを実行しながら、図３のモバイル電気通信システムの構成要素によって実行される方法を示す例示的なメッセージシーケンス図である。
【図１７】図１５の例示的なフローを実行しながら、図３のモバイル電気通信システムの構成要素によって実行される方法を示す例示的なメッセージシーケンス図である。
【図１８】図１５の例示的なフローを実行しながら、図３のモバイル電気通信システムの構成要素によって実行される方法を示す例示的なメッセージシーケンス図である。
【発明を実施するための形態】
【００２７】
概説
図３は、モバイル（セルラー）電気通信システム１を概略的に示しており、そのシステムにおいて、モバイルデバイス、マシンタイプ通信デバイス等のユーザー機器（ＵＥ）３−１、３−２のアイテムのユーザーが、適切な無線アクセス技術（ＲＡＴ）（例えば、Ｅ−ＵＴＲＡ等）を用いて、基地局５（この例では、基地局はＥ−ＵＴＲＡＮ基地局／発展型ＮｏｄｅＢ／ｅＮＢである）及びコアネットワーク１０を介して通信することができる。当業者は理解するように、例示のために、単一の基地局５、２つのモバイルデバイス３−１、３−２及び複数の他の通信ノードを有する構成が図３に示されるが、そのシステムは、実現されるときに、通常、他のモバイルデバイス、基地局及び通信ノードを含むことになる。
【００２８】
ＵＥ３及び基地局５は、ＬＴＥエアインターフェース、いわゆる、「Ｕｕ」インターフェースを介して接続される。基地局５（それゆえ、モバイルデバイス３）は、適切なインターフェース／参照点（この例では、「Ｓ１」インターフェース／参照点）を介してコアネットワーク１０に結合される。
【００２９】
コアネットワーク１０は、数ある中でも、モビリティ管理エンティティ（ＭＭＥ）７と、ホーム加入者サーバー（ＨＳＳ）９と、サービス能力公開機能（ＳＣＥＦ）１１とを含む。図３の例において、複数のアプリケーションサーバー（ＡＳ）１３−１〜１３−３がＳＣＥＦ１１に接続される。
【００３０】
ＭＭＥ７は、Ｓ１インターフェースを介して基地局５に結合され、ＵＥ３を追跡し、異なる基地局５間のＵＥ３の移動を容易にする役割を担う。
【００３１】
ＨＳＳ９は、いわゆる、「Ｓ６ａ」インターフェース／参照点を介してＭＭＥに結合され、ユーザーの加入者プロファイルのような加入関連情報を管理する。ＨＳＳ９は、ユーザーの認証及び権限付与を実行し、加入者の位置についての情報と、インターネットプロトコル（ＩＰ）情報とを提供することができる。
【００３２】
ＳＣＥＦ１１は、所与の加入者のための特定のサービスを許可する役割を担い、第三者サービスに適した規則を導出し、適用する際に他のコアネットワークノードを支援する。ＳＣＥＦ１１は、この図において、新たなインターフェース／参照点（「ＳＣｍ」インターフェース／参照点と呼ばれる）を介してＭＭＥ７と通信することができ、新たな参照点（「ＳＣｈ」インターフェース／参照点と呼ばれる）を介してＨＳＳと通信することができる。
【００３３】
ＳＣｍインターフェース及びＳＣｈインターフェースのうちの１つ又はそれぞれは、全く新しいインターフェースとすることができるか、又は既存のインターフェースの変更とすることができることは理解されよう。ＳＣｍインターフェースは、例えば、変更された「Ｓ６」又は「Ｓ６ａ」インターフェースに基づくことができる。これらのインターフェースを介して使用されるプロトコル（複数の場合もある）は、既存のプロトコル（複数の場合もある）（例えば、Ｄｉａｍｅｔｅｒ若しくはＲａｄｉｕｓ若しくはＸＭＬ）又は新たなプロトコル（複数の場合もある）を含むこともできる。
【００３４】
図３の例において、ＵＥ３はそれぞれ、複数の（例えば、３つの）異なるアプリケーションの通信を同時に取り扱う場合がある。例えば、ＵＥ３−１のうちの１つは３つのアプリケーションを同時に使用し、一方、別のＵＥ３−２は３つのセンサー１５−１、１５−２及び１５−３に結合され、各センサーが異なるそれぞれのアプリケーションを使用し、その通信がＵＥ３−２によって提供される。それゆえ、センサーはＵＥ１３−２を介してネットワークと接続され、３つの異なるＡＳのアプリケーションと独立して通信している。この通信は、同時、又は順次にすることができる。
【００３５】
ＵＥ３が複数のアプリケーションの通信を同時に取り扱うシナリオにおいて、アプリケーションを提供する各ＡＳ１３は、ＳＣＥＦ１１にアプリケーション固有通信パターン（ＣＰ）パラメーターを提供することができ、それにより、ＣＰからそのＵＥ３の関連する情報（例えば、ネットワークパラメーター）を導出できるようにする。各ＣＰは、データトラフィック通信パターン、モビリティ通信パターン等を含むことができる。
【００３６】
ＴＲ２３．７０８ｖ１．１．０は、ＳＣＥＦ１１に提供されるＣＰパラメーターが含むことができる幾つかのパラメーター例を提供する。通信パターンは、例えば、以下のものを含むことができる。
周期通信インジケーター−ＵＥが周期的に通信するか否かを識別する（例えば、ＵＥが周期的に通信することを示すのにＴＲＵＥに設定することができ、又は周期的な通信でない、例えば、要求に応じてのみの通信であることを示すのにＦＡＬＳＥに設定することができる）、
通信持続時間タイマー−周期的な通信（例えば、周期インジケーターがＴＲＵＥに設定される場合）の持続間隔時間（例えば、５分）、
周期時間−周期的な通信の間隔時間（例えば、１時間ごと）、
スケジューリング通信時間−ＵＥが通信に利用可能である時間帯及び曜日、
通信あたりの平均データ量（例えば、２５００ｋＢ）のインジケーター−通信あたりの平均データ量、
静止インジケーション−ＵＥが静止しているか、移動式であるかを識別する（例えば、ＵＥが静止していることを示すのにＴＲＵＥに設定することができ、又はＵＥが移動式であることを示すのにＦＡＬＳＥに設定することができる）、
静止位置−静止しているＵＥに関するＵＥ位置情報（例えば、ＵＥが位置するセルのセルｉｄ、又はネットワーク内のセルｉｄにマッピングすることができる他の位置情報）を含むことができる、
モビリティエリア−ＵＥが動き回るエリアを識別するエリア情報を含むことができる。これが指定されない場合には、ＵＥモビリティは制限されない場合がある（例えば、セルｉｄのリスト、又はトラッキングエリア（ＴＡ）リスト、又はネットワーク内のセルリスト又はＴＡリストにマッピングすることができる他の位置情報）、及び／又は、
平均モビリティ速度−ＵＥの平均モビリティ速度（例えば、ｋｍ／ｈ単位の速度、又は低速／中速／高速のような速度範囲）を表すことができる。
【００３７】
異なる通信パターンを有する複数のアプリケーションの影響が図４に示されており、図４には、単に例示のために、特定のＵＥ３によって使用されている３つの異なるアプリケーションの通信パターンが示される。図４に示されるように、１つのアプリケーション（アプリケーション＃１）が、相対的に頻度が高く、短い持続時間の小さなデータバーストによって特徴付けられる。別のアプリケーション（アプリケーション＃２）が、周期的で、相対的に長い持続時間であるが、低いデータバーストによって特徴付けられる。別のアプリケーション（アプリケーション＃３）が、周期的で、相対的に中間の持続時間の高いデータバーストによって特徴付けられる。各アプリケーションに関連付けられる異なるそれぞれの通信パターンの組み合わせられた影響が図４の下部に示されており、その図は、通信活動が行われている３つの異なる「活動」期間を有する相対的に複雑なパターンを示す。各活動期間は、異なる「活動時間」によって特徴付けられる異なる持続時間を有する。同様に、異なる活動期間の間のアイドル期間は、異なる「アイドル」時間によって特徴付けられる異なる持続時間からなる。
【００３８】
有益には、この例において、ＡＳ１３が、１つ以上の他のアプリケーションを既に使用している（又はその通信を少なくとも提供している）ＵＥ３のアプリケーションのＣＰを提供するとき、そのＵＥ３の複数の異なるアプリケーションに関する全体トラフィック挙動（例えば、図４に示される）を表すネットワークパラメーターの新たな組が（ＳＣＥＦによって、又は別の通信ノード／機能によって）導出される。
【００３９】
有益には、パラメーターの効率的な更新をサポートするために、特定のＵＥ３のＣＰが提供されるとき、ＣＰが有効なままである条件を示す情報（「有効性情報」）が提供される場合がある。この有効性情報は、任意の適切な情報を含むことができるが、通常、ＣＰ（それゆえ、そこから導出される任意のネットワークパラメーター）がどのくらい有効なままであるかを表す有効時間を識別する情報を含む。
【００４０】
有効性タイマーのような有効性情報を規定する代わりに、又はそれに加えて、特定のＵＥ３のＣＰが提供されるとき、ＣＰがアクティブにされるべきであるか否かを示す関連するフラグ又は「トリガー」（例えば、「ステータス」フラグ）とともに、そのＣＰについての情報識別（例えば、「ＣＰ  ＩＤ」）が提供される場合がある。ステータスフラグは、ＣＰが「アクティブにされる」べきである（すなわち、ネットワークパラメーター導出のために考慮されるべきである）ことを示すのに「アクティブ状態」に設定することができ、又はＣＰが「非アクティブ状態」として取り扱われるべきである（すなわち、ネットワークパラメーター導出のために、現時点で考慮されるべきでない）ことを示すのに「非アクティブ状態」に設定することができる。特定のＵＥ３の「アクティブに」されないＣＰは、それにもかかわらず、「アクティブにする」ように設定された、そのＣＰ及びＵＥ３に関連付けられるステータスフラグを伴う適切なメッセージによって後にアクティブにするために記憶することができる。同様に、特定のＵＥ３の「アクティブに」されたＣＰは、「非アクティブにする」ように設定された、そのＣＰ及びＵＥ３に関連付けられるステータスフラグを伴う適切なメッセージによって、後に非アクティブにすることができる。
【００４１】
それゆえ、同じＵＥ３の新たなＣＰがＡＳ１３から受信されるたびに、そのＵＥのＣＰの有効性が失効するときに、又はそのＵＥ３のＣＰがアクティブに／非アクティブにされるときに、ＵＥ３ごとの累積されたアクティブＣＰに関連する変化が生じる場合があることを見て取ることができる。それゆえ、ＵＥ３ごとの累積されたアクティブＣＰにそのような変化があるとき、新たな又は更新されたネットワークパラメーターが（ＳＣＥＦによって、又は別の通信ノード／機能）によって導出されるときに、ＵＥごとのＣＰの総量が考慮される。
【００４２】
特に図４を参照すると、導出のためのネットワークパラメーターの例は以下のもの、すなわち、最大ビットレート（ＭＢＲ）、最大バーストデータ、平均ビットレート、予想ビットレート、平均活動間隔、平均アイドル間隔等を含むことができる。
【００４３】
ＣＰの総量から導出されたネットワークパラメーターは、ＣＰのデータトラフィック通信パターンの特徴、例えば、周期性等に基づいて異なる場合がある。
【００４４】
「ネットワークパラメーター」という用語は、（ＳＣＥＦにおいて、又は別の通信ノード／機能において）ＣＰパラメーターに基づいて導出又はマッピングされるパラメーターを表すために使用されることは理解されよう。ネットワークパラメーターという用語は、例えば、「ＵＥ挙動パラメーター」、「ＣＮ支援ｅＮＢパラメーター」、又はＣＰから導出され、ネットワークリソースの使用を最適化するために、若しくは対応するＵＥの通信リンクを適応させるためにネットワークにおいて使用される任意の他のパラメーターのような、より具体的なパラメーターセットを含む。例えば、「ＵＥ挙動パラメーター」を含む「ネットワークパラメーター」は、データを送信若しくは受信することに関するＵＥ挙動、又はモビリティ挙動を記述することができる。ＵＥ挙動は、ネットワーク機能、例えば、サービングノード又は基地局（ｅＮＢ）において処理することができる「ＵＥ挙動パラメーター」に変換することができるか、又は「ＵＥ挙動パラメーター」によって表すことができる。例えば、ネットワークパラメーターは以下のもの、すなわち、ＵＥ活動時間、ＵＥアイドル時間、ハンドオーバー間隔、データサイズ、データレート等を含むことができる。
【００４５】
ＵＥ
図５は、図３に示されるようなユーザー機器３の主要構成要素を示すブロック図である。図示されるように、ユーザー機器３は、１つ以上のアンテナ３３を介して（例えば、Ｕｕインターフェースを介して）基地局５に対して信号を送受信するように動作可能である送受信機回路３１を有する。図５には必ずしも示されないが、ＵＥ３は、当然、従来のセルラー通信デバイス３の全ての通常の機能（ユーザーインターフェース３５等）を有することができ、これは、必要に応じて、ハードウェア、ソフトウェア及びファームウェアのうちのいずれか１つ又は任意の組み合わせによって与えられる場合がある。ＵＥ３は、モバイル電話３の動作を制御するコントローラー３７を有する。コントローラー３７は、メモリ３９に関連付けられ、送受信機回路３１に結合される。ソフトウェアはメモリ３９にプレインストールされる場合があり、及び／又は電気通信ネットワークを介して、又は例えば、リムーバブルデータ記憶デバイス（ＲＭＤ）からダウンロードすることができる。
【００４６】
コントローラー３７は、この例では、メモリ３９内に記憶されるプログラム命令又はソフトウェア命令によって、ＵＥ３の全体的な動作を制御するように構成される。図示されるように、これらのソフトウェア命令は、数ある中でも、オペレーティングシステム４１と、通信制御モジュール４３と、アプリケーション通信モジュール４５とを含む。また、ソフトウェア命令は、適切な場合には、個別ハードウェア管理モジュール４７を含むこともできる。
【００４７】
通信制御モジュール４３は、モバイル電話３と基地局５との間の通信を制御するように動作可能である。
【００４８】
アプリケーション通信モジュール４５は、第三者サービスプロバイダーのアプリケーションサーバー（ＡＳ）によって提供されるアプリケーションに適した通信パターン（ＣＰ）に従って、そのアプリケーションの通信を取り扱い、管理する役割を担う。ＵＥ３が、センサー１５のような１つ以上の関連する個別ハードウェアデバイス（複数の場合もある）（それはＵＥの内部又は外部に存在する場合がある）を有する場合、個別ハードウェア管理モジュール４７は、その個別ハードウェアの動作を管理する。そのような個別ハードウェアが使用される場合、ＵＥ３は、個別ハードウェアへの有線又はワイヤレス接続のためのハードウェア及び／又はソフトウェアも有することになることは理解されよう。
【００４９】
基地局（例えば、ｅＮＢ）
図６は、図３に示される基地局５の主要構成要素を示すブロック図である。図示されるように、共有される基地局５は、１つ以上のアンテナ５３を介して（例えば、Ｕｕインターフェースを介して）ＵＥ３に対して信号を送受信するように動作可能であり、ネットワークインターフェース５５を介して（例えば、Ｓ１インターフェースを介してＭＭＥ７を用いて）コアネットワーク１０に対して信号を送受信するように動作可能である送受信機回路５１を含む。ネットワークインターフェースは通常、コアネットワークエンティティと通信するためのＳ１インターフェースを含むことに加えて、他の基地局と通信するためのＸ２インターフェースのような他のインターフェースも備える場合があることは理解されよう。図６には必ずしも示されないが、基地局５は、当然、従来の基地局５の全ての通常の機能を有することができ、これは、必要に応じて、ハードウェア、ソフトウェア及びファームウェアのうちのいずれか１つ又は任意の組み合わせによって与えられる場合がある。
【００５０】
コントローラー５７が、メモリ５９内に記憶されたソフトウェアに従って送受信機回路５１の動作を制御する。ソフトウェアは、数ある中でも、オペレーティングシステム６１と、通信制御モジュール６３と、ＣＮ支援パラメーターモジュール６５と、接続及びベアラー確立モジュール６７とを含む。
【００５１】
通信制御モジュール６３は、基地局５とＵＥ３との間、及び基地局５と基地局５に接続される他のネットワークエンティティとの間の通信を制御するように動作可能である。また、通信制御モジュール６３は、例えば、ＵＥ３の動作を管理する制御データを含む、基地局５によってサービングされる通信デバイスに送信されることになるアップリンク及びダウンリンクユーザートラフィック及び制御データの個別のフローを制御する。
【００５２】
ＣＮ支援パラメーターモジュール６５は、ネットワーク内の他の位置において（例えば、ＭＭＥ７、ＨＳＳ９及び／又はＳＣＥＦ１１によって）導出され、基地局５に与えられるＣＮ支援ｅＮＢパラメーターを取得し、管理する役割を担う。接続及びベアラー確立モジュール６７は、ＵＥ３による通信のためのＳ１接続の設定及び通信ベアラーの確立を管理する役割を担う。接続及びベアラー管理モジュール６７は、ＵＥとの無線リンクを構成するときに、ＩＤＬＥ状態とＣＯＮＮＥＣＴＥＤ状態との間の移行が最小化される態様において構成するようにＣＮ支援ｅＮＢパラメーターを使用する。
【００５３】
モビリティ管理エンティティ
図７は、図３の通信システムのモビリティ管理エンティティ７の主要構成要素を示すブロック図である。図示されるように、ＭＭＥ７は、ネットワークインターフェース（複数の場合もある）７５を介して、基地局５及び／又は他のノード（例えば、ＨＳＳ９及び／又はＳＣＥＦ１１）に対して信号を送受信するように動作可能である送受信機回路７１を含む。図７には必ずしも示されないが、ＭＭＥ７は、当然、従来のＭＭＥ７の全ての通常の機能を有することができ、これは、必要に応じて、ハードウェア、ソフトウェア及びファームウェアのうちのいずれか１つ又は任意の組み合わせによって与えられる場合がある。
【００５４】
コントローラー７７が、メモリ７９内に記憶されたソフトウェアに従って送受信機回路７１の動作を制御する。ソフトウェアは、数ある中でも、オペレーティングシステム８１と、通信制御モジュール８３と、ＣＮ支援パラメーターモジュール８５と、ＳＣＥＦ通信モジュール８７と、ＨＳＳ通信モジュール８９とを含む。
【００５５】
通信制御モジュール８３は、ＭＭＥ７と、ＭＭＥに接続される他のネットワークエンティティとの間の通信を制御するように動作可能である。そのような通信は、例えば、異なる基地局５間のＵＥ３のモビリティを容易にすることに関連する場合がある。
【００５６】
ＣＮ支援パラメーターモジュール８５は、ＣＮ支援ｅＮＢパラメーターを取得する役割を担う。ＣＮ支援パラメーターモジュール８５は、ＭＭＥ７において（例えば、ＨＳＳ９及び／又はＳＣＥＦ１１から取得されたネットワーク／ＣＰパラメーターから）パラメーターを導出することによって、これらのパラメーターを取得することができる。ＣＮ支援パラメーターモジュール８５は、パラメーターを導出した別のネットワークエンティティ（例えば、ＨＳＳ９及び／又はＳＣＥＦ１１）から直接、又は間接的にパラメーターを受信することによって、これらのパラメーターを取得することができる。ＣＮ支援ｅＮＢパラメーター（又はＣＮ支援ｅＮＢパラメーターがそこから導出される場合があるネットワークパラメーター）は、ＤＩＡＭＥＴＥＲ又は任意の他の適切なプロトコルを用いて（例えば、ＤＩＡＭＥＴＥＲ  Ｉｎｓｅｒｔ  Ｓｕｂｓｃｒｉｂｅｒ  Ｄａｔａメッセージから）ＭＭＥ７にプッシュされる情報から取得することができるか、又はダウンロードすることができる（例えば、ＤＩＡＭＥＴＥＲ  Ｕｐｄａｔｅ  Ｌｏｃａｔｉｏｎ  Ａｎｓｗｅｒ内の加入者データを用いる）。
【００５７】
また、ＣＮ支援パラメーターモジュール８５は、ＭＭＥ７によって受信されたネットワーク／ＣＰパラメーターに関連する有効性情報を適切に取り扱う役割を担う。
【００５８】
例えば、ＣＮ支援パラメーターモジュール８５は、ネットワークパラメーターがそこから導出されるＣＰに関して示された有効時間の持続時間を有し、記憶されたパラメーターの削除（又は加入情報からの失効したネットワークパラメーターを考慮に入れない、ｅＮＢ支援パラメーターの計算）をトリガーするタイマーを始動することができる。ＣＮ支援パラメーターモジュール８５は、ネットワークパラメーターが有効であると示される期間（例えば、指定された時刻間）にのみ、ｅＮＢ支援パラメーターを計算するときに、加入情報からのネットワークパラメーターを考慮することができる。
【００５９】
また、ＣＮ支援パラメーターモジュール８５は、基地局５に（例えば、ＴＳ２３．４０１ｖ１３．２．０の４．３．２１．３節において詳述されるようなＳ１シグナリング接続（例えば、Ａｔｔａｃｈ、Ｓｅｒｖｉｃｅ  Ｒｅｑｕｅｓｔ）の設定中に）ＣＮ支援ｅＮＢパラメーターを提供する役割を担う。
【００６０】
ＳＣＥＦ通信モジュール８７は、ＳＣｍインターフェースを介してのＳＣＥＦ１１との通信を管理する役割を担う（そのようなインターフェースが設けられる場合）。ＨＳＳ通信モジュール８９は、Ｓ６ａインターフェースを介してのＨＳＳ９との通信を管理する役割を担う。
【００６１】
ホーム加入者サーバー
図８は、図３の通信システムのホーム加入者サーバー９の主要構成要素を示すブロック図である。図示されるように、ＨＳＳ９は、ネットワークインターフェース（複数の場合もある）９５を介して、ＭＭＥ７及びＳＣＥＦ１１に対して信号を送受信するように動作可能である送受信機回路９１を含む。図８には必ずしも示されないが、ＨＳＳ９は、当然、従来のＨＳＳ９の全ての通常の機能を有することができ、これは、必要に応じて、ハードウェア、ソフトウェア及びファームウェアのうちのいずれか１つ又は任意の組み合わせによって与えられる場合がある。
【００６２】
コントローラー９７が、メモリ９９内に記憶されたソフトウェアに従って送受信機回路９１の動作を制御する。ソフトウェアは、数ある中でも、オペレーティングシステム１３１と、通信制御モジュール１３３と、ネットワークパラメーターモジュール１３５と、ＳＣＥＦ通信モジュール１３７と、ＭＭＥ通信モジュール１３９と、加入者プロファイルモジュール１３８とを含む。また、ソフトウェアは、通信パターン有効性／ステータスモジュール１３６を含むこともできる。
【００６３】
通信制御モジュール１３３は、ＨＳＳ９と、ＨＳＳ９に接続される他のネットワークエンティティとの間の通信を制御するように動作可能である。そのような通信は、例えば、ユーザーの認証及び権限付与を実行することと、加入者の位置についての情報及びインターネットプロトコル（ＩＰ）情報を提供することとに関連する場合がある。
【００６４】
ネットワークパラメーターモジュール１３５は、ネットワークパラメーターを取得し、記憶する役割を担い、適用可能な場合には、関連する通信パターンパラメーターセットを取得し、記憶する役割を担う。ネットワークパラメーターは、通信パターンパラメーターから導出される全体的なネットワークパラメーターか、又はＵＥ挙動パラメーター若しくはＣＮ支援ｅＮＢパラメーターのような、より具体的なネットワークパラメーターとすることができる。ネットワークパラメーターモジュール１３５は、ＨＳＳ９において（例えば、ＳＣＥＦ１１から受信された１つ以上の通信パターンパラメーターセットから）パラメーターを導出することによって、これらのパラメーターを取得することができる。ネットワークパラメーターモジュール１３５は、ＳＣＥＦ１１がパラメーターを導出した場合には、ＳＣＥＦ１１から（例えば、ＳＣｈインターフェースを介して）パラメーターを受信することによって、これらのパラメーターを取得することができる。ネットワークパラメーター（又はネットワークパラメーターがそこから導出される場合があるＣＰパラメーター）は、ＤＩＡＭＥＴＥＲ又は任意の他の適切なプロトコルを用いて（例えば、Ｐｒｏｆｉｌｅ−Ｕｐｄａｔｅ−Ｒｅｑｕｅｓｔ  ＤＩＡＭＥＴＥＲメッセージにおいて）取得される場合がある。
【００６５】
また、ネットワークパラメーターモジュール１３５は、ＤＩＡＭＥＴＥＲ又は任意の他の適切なプロトコルを用いて（例えば、ＤＩＡＭＥＴＥＲ  Ｉｎｓｅｒｔ  Ｓｕｂｓｃｒｉｂｅｒ  Ｄａｔａメッセージにおいて、ネットワーク／ＣＰパラメーターを含む加入情報をＭＭＥ７に「プッシュする」ことによって）、ＭＭＥ７にネットワーク／ＣＰパラメーターを与える役割を担う。ＭＭＥ７は、代替的には、ネットワークパラメーターをダウンロードすることができる（例えば、ＤＩＡＭＥＴＥＲ  Ｕｐｄａｔｅ  Ｌｏｃａｔｉｏｎ  Ａｎｓｗｅｒ内の加入者データを用いる）。
【００６６】
ＳＣＥＦ通信モジュール１３７は、ＳＣｈインターフェースを介してのＳＣＥＦ１１との通信を管理する役割を担う（そのようなインターフェースが設けられる場合）。ＭＭＥ通信モジュール１３９は、Ｓ６ａインターフェースを介してのＭＭＥ７との通信を管理する役割を担う。
【００６７】
加入者プロファイルモジュール１３８は、ホームネットワークの加入者（例えば、ＵＥ３の加入者）に関連付けられる加入者プロファイル（及び適切な加入パラメーター）を記憶する。
【００６８】
適用可能な場合、通信パターン有効性／ステータスモジュール１３６は、ＣＰの有効性／ステータスと、関連するＣＰ／ネットワークパラメーターとを管理する役割を担う。通信パターン有効性／ステータスモジュール１３６は、ＣＰの有効性／ステータスを追跡し、そのＣＰに関する（それゆえ、関連するネットワークパラメーターに関する）有効性／ステータス情報が、更新が必要とされることを示す場合には、記憶されたＣＰ／ネットワークパラメーターのそのような更新を自律的にトリガーする。例えば、特定のＣＰの有効時間が満了する場合には、関連するＣＰパラメーターを自律的に削除することができる。その代わりに、又はそれに加えて、特定の「アクティブ」ＣＰが「非アクティブにされる」べきであることを示すステータス情報が受信される場合には、関連するＣＰパラメーターを自律的に削除することができる（又は、更なるステータス更新によってアクティブにされるまで、非アクティブ状態に保持することができる）。有効性の失効後に、又は非アクティブにした後に、ネットワークパラメーターモジュール１３５は、無効になった、又は非アクティブにされたＣＰを無視しながら、同じＵＥ３の他のＣＰを考慮するためにネットワークパラメーターを再導出することができる。
【００６９】
サービス能力公開機能
図９は、図３の通信システムのサービス能力公開機能（ＳＣＥＦ）１１の主要構成要素を示すブロック図である。図示されるように、ＳＣＥＦ１１は、ネットワークインターフェース（複数の場合もある）１４５を介して、ＨＳＳ９及び／又はＡＳ／ＳＣＳ１３に対して信号を送受信するように動作可能である送受信機回路１４１を含む。図９には必ずしも示されないが、ＳＣＥＦ１１は、当然、従来のＳＣＥＦ１１の全ての通常の機能を有することができ、これは、必要に応じて、ハードウェア、ソフトウェア及びファームウェアのうちのいずれか１つ又は任意の組み合わせによって与えられる場合がある。
【００７０】
コントローラー１４７が、メモリ１４９内に記憶されるソフトウェアに従って送受信機回路１４１の動作を制御する。ソフトウェアは、数ある中でも、オペレーティングシステム１５１と、通信制御モジュール１５３と、通信パターンパラメーターモジュール１５５と、ＡＳ／ＳＣＳ通信モジュール１５７と、ＭＭＥ通信モジュール１５８と、ＨＳＳ通信モジュール１５９とを含む。また、ソフトウェアは、通信パターン有効性／ステータスモジュール１５６を含むこともできる。
【００７１】
通信制御モジュール１５３は、ＳＣＥＦ１１と、ＳＣＥＦ１１に接続される他のネットワークエンティティとの間の通信を制御するように動作可能である。
【００７２】
通信パターンパラメーターモジュール１５５は、通信パターンパラメーターセットを取得及び記憶する役割を担い、適用可能な例では、関連するネットワークパラメーターを導出する役割を担う（ネットワークパラメーターは、通信パターンパラメーターから導出される全体的なネットワークパラメーターとすることができるか、又はＵＥ挙動パラメーター又はＣＮ支援ｅＮＢパラメーターのような、より具体的なパラメーターとすることができる）。通信パターンパラメーターモジュール１５５は、第三者サービスプロバイダーの関連するＡＳ／ＳＣＳ１３から、通信パターンパラメーターを取得する。
【００７３】
また、通信パターンパラメーターモジュール１５５は、導出されたネットワークパラメーター（又は適用可能な場合、通信パターンパラメーター）を、ＤＩＡＭＥＴＥＲ又は任意の他の適切なプロトコルを用いて（例えば、Ｐｒｏｆｉｌｅ−Ｕｐｄａｔｅ−Ｒｅｑｕｅｓｔ  ＤＩＡＭＥＴＥＲメッセージにおいて）ＳＣＥＦ１１に与える役割を担う。
【００７４】
ＡＳ／ＳＣＳ通信モジュール１５７は、ＡＳ／ＳＣＳ１３との（例えば、適切なアプリケーションインターフェース（ＡＰＩ）を介しての）通信を管理する役割を担う。
【００７５】
ＭＭＥ通信モジュール１５８は、ＳＣｍインターフェースを介してのＭＭＥ７との通信を管理する役割を担う（そのようなインターフェースが設けられる場合）。
【００７６】
ＨＳＳ通信モジュール１５９は、ＳＣｈインターフェースを介してのＨＳＳ９との通信を管理する役割を担う（そのようなインターフェースが設けられる場合）。
【００７７】
適用可能な場合、通信パターン有効性／ステータスモジュール１５６は、ＣＰの有効性／ステータスと、関連するＣＰ／ネットワークパラメーターとを管理する役割を担う。通信パターン有効性／ステータスモジュール１５６は、ＣＰの有効性／ステータスを追跡し、そのＣＰに関する（それゆえ、関連するネットワークパラメーターに関する）有効性／ステータス情報が、更新が必要とされることを示す場合には、記憶されたＣＰ／ネットワークパラメーターのそのような更新を自律的にトリガーする。例えば、特定のＣＰの有効時間が満了する場合には、関連するＣＰパラメーターをＳＣＥＦ１１において自律的に削除することができる。その代わりに、又はそれに加えて、特定の「アクティブ」ＣＰが「非アクティブにされる」べきであることを示すステータス情報が受信される場合には、関連するＣＰパラメーターを自律的に削除することができる（又は、更なるステータス更新によってアクティブにされるまで、非アクティブ状態に保持することができる）。有効性の失効後に、又は非アクティブにした後に、通信パターンパラメーターモジュール１５５は、無効になった、又は非アクティブにされたＣＰを無視しながら、同じＵＥ３の他のＣＰを考慮するためにネットワークパラメーターを再導出することができる。
【００７８】
アプリケーションサーバー／サービス能力サーバー
図１０は、図３の通信システムのアプリケーションサーバー／サービス能力サーバー１３の主要構成要素を示すブロック図である。図示されるように、ＡＳ／ＳＣＳ１３は、ネットワークインターフェース（複数の場合もある）１６５を介して、ＳＣＥＦ１１に対して信号を送受信するように動作可能である送受信機回路１６１を含む。図１０には必ずしも示されないが、ＡＳ／ＳＣＳ１３は、当然、従来のＡＳ／ＳＣＳ１３の全ての通常の機能を有することができ、これは、必要に応じて、ハードウェア、ソフトウェア及びファームウェアのうちのいずれか１つ又は任意の組み合わせによって与えられる場合がある。
【００７９】
コントローラー１６７が、メモリ１６９に記憶されたソフトウェアに従って送受信機回路１６１の動作を制御する。ソフトウェアは、数ある中でも、オペレーティングシステム１７１と、通信制御モジュール１７３と、通信パターンパラメーターモジュール１７５と、通信パターン有効性／ステータスモジュール１７６と、ＳＣＥＦ通信モジュール１７７とを含む。
【００８０】
通信制御モジュール１７３は、ＡＳ／ＳＣＳ１３と、ＡＳ／ＳＣＳ１３に接続される他のネットワークエンティティとの間の通信を制御するように動作可能である。
【００８１】
通信パターンパラメーターモジュール１７５は、ＵＥ３によって使用されるか、又は通信のためにＵＥ３を使用する個別ハードウェア（例えば、センサー）によって使用されるアプリケーションのための通信パターンパラメーターセットを生成する役割を担う。
【００８２】
通信パターン有効性／ステータスモジュール１７６は、ＣＰの有効性／ステータスを管理する役割を担い、適切な有効性情報（例えば、有効時間）又はステータス情報（例えば、トリガーをアクティブ／非アクティブにするステータスフラグ）を生成する役割を担う。
【００８３】
ＳＣＥＦ通信モジュール１７７は、通信パターンパラメーターセット及び関連する有効性／ステータス情報の規定のような、ＳＣＥＦ１１との（例えば、適切なアプリケーションインターフェース（ＡＰＩ）を介しての）通信を管理する役割を担う。
【００８４】
動作
有効性情報の使用
図１１は、有効時間等の関連する有効性情報を伴う通信パターン（ＣＰ）の規定及び使用に従って通常実行される機能のノード独立呼フローを簡略化された概要において示すフローチャートである。
【００８５】
後に更に詳細に説明されるように、図１１に示される各ブロックの機能は異なる機能エンティティ又はノード（例えば、ＳＣＥＦ、ＨＳＳ、ＭＭＥ、ｅＮＢ又は任意の他の関与するノード）内に位置することができることは理解されよう。
【００８６】
図１１に示されるように、そのフローは、特定のＵＥ（関連するＵＥ  ＩＤによって表される）のＣＰが規定されるときに、Ｓ１１００において開始する。この例におけるＣＰ要求は、ＣＰのＣＰパラメーター及び有効性情報を含む。ＣＰの有効性情報（それは、導出されるときに対応するネットワークパラメーターの有効性情報も表す）は、例えば、種々の方法において表すことができる有効時間、例えば以下のものとすることができる。
ＣＰが有効である時間間隔（例えば、次の６０分を表す）、又は、
ネットワークにおいてＣＰが考慮されるべき期間（例えば、２４時間時計における「２３：００から２４：００までの時間」のような、ＣＰがアクティブである日時を表す）。
【００８７】
それゆえ、ネットワークパラメーターの所与の組の場合の有効性情報が、ＵＥ３が対応するＣＰ又は挙動でアプリケーションを使用する時点を実効的に記述することを見て取ることができる。有効性情報が見当たらない場合には、ＡＳ１３がそのＣＰの更新を与えるまで、ネットワークはＣＰが有効であると仮定する。
【００８８】
Ｓ１１０２において、新たなＣＰを考慮して、適切なネットワークパラメーターが導出される。ＣＰが既に与えられているＵＥ３が、他の関連するＣＰを有する場合には（例えば、ＵＥ上で同時に使用されるアプリケーションのために、又はＵＥを介して接続される他のエンティティによって使用されているアプリケーションのために）、ネットワークパラメーターの導出は、同じＵＥ３の他のＣＰを考慮する。関連するＣＰが有効である期間を設定する有効時間が与えられた場合、ＣＰが有効である時点、及びＣＰが有効でなくなる時点をネットワークが判断できるようにするために、タイマーが始動される。
【００８９】
ネットワークパラメーターが更新されると、次の更新（例えば、既存のＣＰに対する更新、又は新たなアプリケーションの新たなＣＰの規定）まで、Ｓ１００４において、それらのネットワークパラメーターはネットワークに記憶される。
【００９０】
その後、Ｓ１００６において、ネットワークパラメーターを用いて、ＣＮ関連ｅＮＢパラメーターを導出する。
【００９１】
Ｓ１００８において、設定されたタイマー（例えば、有効性タイマー）が満了するか（利用可能な場合）、同じＵＥの新たなＣＰが到着するか、又はそのＵＥ３の既存のＣＰの更新が生じる場合には、Ｓ１００２においてアクティブＣＰの変化を考慮してネットワークパラメーターが再導出され、そのプロセスは基本的に繰り返される。
【００９２】
これは、異なる機能がＳＣＥＦ、ＨＳＳ及びＭＭＥ内に位置するときの例を示す以下の図に示される例にも当てはまる。
【００９３】
ＳＣＥＦにおけるタイマー処理及びＮＷパラメーター、ＭＭＥにおけるＣＮ支援ｅＮＢパラメーター
図１２は、ＳＣＥＦ１１においてネットワークパラメーターの有効性が取り扱われる一例を簡略化された概要において示すメッセージシーケンス図である。この例において、ＳＣＥＦ１１は、ネットワークパラメーターを記憶及び／又は処理することができ、及び／又は例えば、タイマーを始動及び終了するために、又はネットワークパラメーターをアクティブ及び非アクティブにするために、更に、ネットワークパラメーターを適時にシグナリングすることができる。
【００９４】
ステップ１（Ｓ１２００）：第三者サービスプロバイダーのアプリケーションサーバー（ＡＳ）／サービス能力サーバー（ＳＣＳ）１３−１が、ＡＳ／ＳＣＳ１３−１と通信しているＵＥ又はＵＥのグループの新たな又は更新された通信パターンのＣＰパラメーターの組を伴う要求又は通知をＳＣＥＦ１１に送る。要求／通知は通常、ＵＥ  ＩＤ（複数の場合もある）と、ＣＰパラメーターセットと、利用可能な場合には、対応する有効性情報とを含む。また、要求／通知は、要求側ＡＳ／ＳＣＳのＩＤ（例えば、ＡＳ  ＩＤ）を含む場合もある。これらは例示的な情報要素であり、要求メッセージは、これらの要素に加えて、又はその代わりとして他の情報要素を含む場合があることは理解されよう。
【００９５】
ステップ２（Ｓ１２０２）：ＳＣＥＦ１１は、更なる情報をＨＳＳ９に照会することができ、認証及び／又は権限付与手順を実行して、その要求を認証し／その要求に権限を付与することができる。ＨＳＳ９は、この段階において、ＳＣＥＦ１１にサービス公開のためのアーキテクチャ向上（ＡＥＳＥ：Architecture Enhancements for Service Exposure）能力サポートのインジケーションを与えることができる。例えば、ＨＳＳ９は、ＨＳＳ９及びサービングノードのサポートされるＡＥＳＥ関連機構のリストをＳＣＥＦ１１に与えることができる。ＳＣＥＦ１１は、ＣＮ支援ｅＮＢパラメーターチューニングの機構がＨＳＳ９及びサービングノードにおいてサポートされる場合にのみ次のステップ（ステップ３）を続行し、サポートされない場合には、更なる要求を破棄又は拒否する。
【００９６】
ＳＣＥＦ１１は、以下の例示的な場合に、ＡＳ／ＳＣＳ１３−１からの要求をネットワークにおいて処理できないか、又は満たすことができないことを示す否定応答を、ＡＳ／ＳＣＳ１３−１に返送することができる。
・ＨＳＳ９又はＭＭＥ７が、ＡＳ／ＳＣＳ１３−１によって要求された所与のＡＥＳＥ関連機構をサポートしない場合。
・ＳＣＥＦ１１とＨＳＳ９との間の認証又は権限付与手順が成功しなかった場合。
【００９７】
ステップ３（Ｓ１２０４）：ＣＰパラメーターセットが有効性情報を伴う場合には、ＣＰがアクティブになるべきときに、直ちに、又は有効性情報によって示される時点において、ＳＣＥＦ１１内の対応するタイマーが始動される。ＳＣＥＦ１１は、特定のＵＥ３の全てのアクティブなＣＰ（すなわち、有効性情報が入手可能であり、失効されていないＣＰ）を考慮して、オペレーターポリシー又は構成に基づいて、ＣＰパラメーターからネットワークパラメーターを導出（又はマッピング）する。或る特定のＣＰに関する有効性タイマーが満了するとき、もはや考慮される必要がないＣＰの不在（例えば、欠落したデータトラフィックパターン）を考慮するために、ネットワークパラメーターが再び導出（又はマッピング）される。
【００９８】
ステップ４（Ｓ１２０６）：ＳＣＥＦ１１は、導出又はマッピングされたネットワークパラメーターをＨＳＳ９に与え、それらのネットワークパラメーターはＨＳＳ９によって加入者プロファイルに記憶される。このステップ４におけるメッセージは、以下の情報、すなわち、ＵＥ  ＩＤ、ＳＣＥＦ  ＩＤ、アプリケーション（又はサービス）ＩＤ（又は情報）、ネットワークパラメーター（複数の場合もある）、有効性情報等のうちの少なくとも１つを含むことができる。ＳＣＥＦ１１によって使用されるプロトコルは、例えば、限定はしないが、ＤＩＡＭＥＴＥＲ又はＲＡＤＩＵＳ又はＸＭＬとすることができる。ＤＩＡＭＥＴＥＲの場合、メッセージは、以下に示されるようなＰｒｏｆｉｌｅ−Ｕｐｄａｔｅ−Ｒｅｑｕｅｓｔメッセージとすることができる（しかし、ＨＳＳ９に送られる任意の他のＤＩＡＭＥＴＥＲメッセージとすることができる）。
< Profile-Update-Request > :: = < Diameter Header: 307, REQ, PXY, 16777217>
< Session-Id >
{ Vendor-Specific-Application-Id }
{ Auth-Session-State }
{ Origin-Host }
{ Origin-Realm }
[ Destination-Host ]
{ Destination-Realm }
*[ Supported-Features ]
{ User-Identity }
[ Wildcarded-Public-Identity ]
[ Wildcarded-IMPU ]
[ User-Name ]
*{ Data-Reference }
{ User-Data }
[ OC-Supported-Features ]
*[ AVP ]
*[ Proxy- Info ]
*[ Route-Record ]
*[Network Parameters]
【００９９】
例示的なＰｒｏｆｉｌｅ−Ｕｐｄａｔｅ−Ｒｅｑｕｅｓｔメッセージにおける新たなフィールド／属性値対（ＡＶＰ）「ネットワークパラメーター」は通常、以下の値、すなわち、ＭＢＲ、最大バーストデータ、平均ビットレート、予想ビットレート、平均活動間隔、平均アイドル間隔、静止インジケーション、速度等のうちの１つ以上を含む。
【０１００】
ＳＣｍ参照点が存在する場合には、ＨＳＳ９を横切ることなく、メッセージをＵＥ３のサービングノード９（例えば、ＭＭＥ、ＳＧＳＮ）に直接送ることができる（その場合、以下のステップ、ステップ５は不要な場合がある）ことは理解されよう。
【０１０１】
ステップ５（Ｓ１２０８）：ＨＳＳ９は、受信されたネットワークパラメーターを、有効性情報とともに、それぞれのＵＥ加入情報内に記憶する。ＨＳＳ９は、或る特定のネットワークパラメーターの有効性が失効した場合には、これらの記憶されたネットワークパラメーターを自律的に更新することができる。
【０１０２】
ＨＳＳ９は、更新された加入情報をＭＭＥ７に（例えば、ＵＥ  ＩＤ、ＳＣＥＦ  ＩＤ、アプリケーション（又はサービス）ＩＤ（又は情報）、ネットワークパラメーター（複数の場合もある）、有効性情報等のフィールドのうちの１つ以上を含む、ＤＩＡＭＥＴＥＲ  Ｉｎｓｅｒｔ  Ｓｕｂｓｃｒｉｂｅｒ  Ｄａｔａメッセージにおいて）プッシュすることができるか、又は代替的には、ＭＭＥ７は、ＤＩＡＭＥＴＥＲ  Ｕｐｄａｔｅ  Ｌｏｃａｔｉｏｎ  Ａｎｓｗｅｒにおいて、ネットワークパラメーターを加入者データとともにダウンロードすることができる。
【０１０３】
ＭＭＥ７は、その後、受信された加入情報内のネットワークパラメーター（複数の場合もある）に基づいて、及び／又は更なる統計情報に基づいて、ＣＮ支援ｅＮＢパラメーターを導出することができる。
【０１０４】
ステップ６（Ｓ１２１０）：ＭＭＥは、例えば、ＴＳ２３．４０１ｖ１３．２．０の４．３．２１．３節において詳述されるようなＳ１シグナリング接続（例えば、Ａｔｔａｃｈ、Ｓｅｒｖｉｃｅ  Ｒｅｑｕｅｓｔ）の設定中にＣＮ支援ｅＮＢパラメーターをｅＮＢに与える。
【０１０５】
ステップ７（Ｓ１２１２）：ＵＥ３のＣＰのための有効性タイマーのうちの１つが満了するとき、満了した有効性タイマーが関連するＣＰが検討対象から除外されることに起因して、ネットワークパラメーターが変化する場合があるので、現時点でアクティブなＣＰ又はＣＰの組の正確なネットワークパラメーターが入手可能であるのを確実にするために、ステップ３〜６が再び実行される。
【０１０６】
ステップ８（Ｓ１２１４）：別のＡＳ／ＳＣＳ１３−１、１３−２からの新たなＣＰ又は既存のＣＰに対する更新がＳＣＥＦ１１に送られるとき、新たなＣＰ又は更新されたＣＰに起因してネットワークパラメーターが変化する場合があるので、現時点でアクティブなＣＰ又はＣＰの組の正確なネットワークパラメーターが入手可能であるのを確実にするために、ステップ２〜６が再び実行される。
【０１０７】
ＨＳＳ及びＭＭＥにおけるタイマー処理及びＮＷパラメーター、ＭＭＥにおけるＣＮ支援ｅＮＢパラメーター
図１３は、ネットワークパラメーターの有効性がＨＳＳ９において取り扱われる一例を簡略化された概要において示すメッセージシーケンス図である。この例において、ＨＳＳ９は、ネットワークパラメーターを記憶及び／又は処理することができ、及び／又は例えば、タイマーを始動及び終了するために、又はネットワークパラメーターをアクティブ及び非アクティブにするために、更に、ネットワークパラメーターを適時にシグナリングすることができる。
【０１０８】
図１３は図１２に類似であるが、幾つかの変更が加えられており、それらの変更は、詳細には、有効性処理がＨＳＳにおいて行われることを含む。
【０１０９】
ステップ１（Ｓ１３００）：第三者サービスプロバイダーのアプリケーションサーバー（ＡＳ）／サービス能力サーバー（ＳＣＳ）１３−１が、ＡＳ／ＳＣＳ１３−１と通信しているＵＥ又はＵＥのグループの新たな又は更新された通信パターンについての要求又は通知をＳＣＥＦ１１に送る。要求／通知は通常、ＵＥ  ＩＤ（複数の場合もある）と、ＣＰと、利用可能な場合には、対応する有効性情報とを含み、要求側ＡＳ／ＳＣＳのＩＤ（例えば、ＡＳ  ＩＤ）を含む場合もある。
【０１１０】
ステップ２（Ｓ１３０２）：ＳＣＥＦ１１は、更なる情報をＨＳＳ９に照会することができ、認証及び／又は権限付与手順を実行して、その要求を認証し／その要求に権限を付与することができる。ＨＳＳ９は、この段階において、ＳＣＥＦ１１にサービス公開のためのアーキテクチャ向上（ＡＥＳＥ）能力サポートのインジケーションを与えることができる。例えば、ＨＳＳ９は、ＨＳＳ９及びサービングノードのサポートされる機構のリストをＳＣＥＦ１１に与えることができる。ＳＣＥＦ１１は、ＣＮ支援ｅＮＢパラメーターチューニングの機構がＨＳＳ９及びサービングノードにおいてサポートされる場合にのみ次のステップ（ステップ３）を続行し、サポートされない場合には、更なる要求を破棄又は拒否する。
【０１１１】
ステップ３（Ｓ１３０６）：ＳＣＥＦ１１は、受信された情報（例えば、ＵＥ  ＩＤ、ＣＰパラメーターセット（複数の場合もある）、利用可能な場合には、対応する有効性情報）をＨＳＳ９に与える。このステップにおけるメッセージは、例えば、以下の情報、すなわち、ＵＥ  ＩＤ、ＳＣＥＦ参照ＩＤ（ＳＣＥＦ  ＩＤ）、アプリケーション（又はサービス）ＩＤ（又は情報）、ＣＰパラメーターセット（複数の場合もある）、有効性情報等のうちの少なくとも１つを含むことができる。ＳＣＥＦ１１によって使用されるプロトコルはＤＩＡＭＥＴＥＲとすることができるが、これに限定されない。ＤＩＡＭＥＴＥＲの場合、メッセージは、以下に示されるようなＰｒｏｆｉｌｅ−Ｕｐｄａｔｅ−Ｒｅｑｕｅｓｔメッセージとすることができる（しかし、ＨＳＳ９に送られる任意の他のＤＩＡＭＥＴＥＲメッセージとすることができる）。
< Profile-Update-Request > :: = < Diameter Header: 307, REQ, PXY, 16777217 >
< Session-Id >
{ Vendor-Specific-Application-Id }
{ Auth-Session-State }
{ Origin-Host }
{ Origin-Realm }
[ Destination-Host ]
{ Destination-Realm }
*[ Supported-Features ]
{ User-Identity }
[ Wildcarded-Public-Identity ]
[ Wildcarded-IMPU ]
[ User-Name ]
*{ Data-Reference }
{ User-Data }
[ OC-Supported-Features ]
*[ AVP ]
*[ Proxy- Info ]
*[ Route-Record ]
*[Communication Pattern]
【０１１２】
例示的なＰｒｏｆｉｌｅ−Ｕｐｄａｔｅ−Ｒｅｑｕｅｓｔメッセージにおける新たなフィールド／属性値対（ＡＶＰ）「通信パターン」は通常、ＳＣＥＦ１１によってＡＳ／ＳＣＳ１３−１から受信されるような、トラフィック及びモビリティ挙動を記述するパラメーター値のうちの１つ以上を含む。例は、周期通信インジケーター、通信持続時間タイマー、周期時間、スケジューリング通信時間、通信あたりの平均データ量、静止インジケーション、静止位置、モビリティエリア、平均モビリティ速度等を含む。新たなフィールド／ＡＶＰに加えて、「通信パターン」は、対応する有効性情報を含むことができる。ＨＳＳは、新たなＣＰパラメーターセットを（通常、関連するＳＣＥＦ参照ＩＤ（ＳＣＥＦ  ＩＤ）及び有効性情報（例えば、有効時間）とともに）記憶する。
【０１１３】
ステップ４（Ｓ１３０４）：ＨＳＳ９によって受信されたＣＰパラメーターセットが有効性情報を伴う場合には、ＣＰがアクティブになるべきときに、直ちに、又は有効性情報によって示される時点において、ＨＳＳ９内の対応するタイマーが始動される。ＨＳＳ９は、特定のＵＥ３の全ての現時点でアクティブなＣＰ（すなわち、有効性情報が利用可能であり、失効されていないＣＰ）を考慮して、オペレーターポリシー又は構成に基づいて、ネットワークパラメーターを導出する。ＨＳＳ９内に記憶されたＣＰパラメーターセットの有効性タイマーが満了するとき、そのＣＰのパラメーターを削除することができ、もはや考慮される必要がないＣＰの不在（例えば、欠落したデータトラフィックパターン）を考慮するために、ネットワークパラメーターを再び導出することができる。
【０１１４】
ステップ５（Ｓ１３０８）：ＨＳＳ９は、導出されたネットワークパラメーターを、関連する有効性情報とともに、それぞれのＵＥ加入情報（加入者プロファイル）内に記憶する。上記で示されたように、ＨＳＳ９は、或る特定のＣＰの有効性、それゆえ、関連するネットワークパラメーターが失効する場合には、自律的に（すなわち、上記のように、失効したＣＰパラメーターを削除及び／又はネットワークパラメーターを再導出することによって）記憶されたＣＰ／ネットワークパラメーターを更新することができ、それにより、更なるシグナリングの必要性を回避することができる。ＨＳＳ９は、更新された加入情報をＭＭＥに、例えば、ＵＥ  ＩＤ、ＳＣＥＦ  ＩＤ、アプリケーション（又はサービス）ＩＤ（又は情報）、ネットワークパラメーター（複数の場合もある）、有効性情報等のフィールドのうちの１つ以上を含む、ＤＩＡＭＥＴＥＲ  Ｉｎｓｅｒｔ  Ｓｕｂｓｃｒｉｂｅｒ  Ｄａｔａメッセージにおいてプッシュすることができる。ネットワークパラメーターをＭＭＥ７にプッシュする代わりとして、ＭＭＥ７が、ＤＩＡＭＥＴＥＲ  Ｕｐｄａｔｅ  Ｌｏｃａｔｉｏｎ  Ａｎｓｗｅｒにおいて、ネットワークパラメーターを加入者データとともにダウンロードすることができる。
【０１１５】
ＭＭＥ７は、その後、受信された加入情報内のネットワークパラメーター（複数の場合もある）に基づいて、及び／又は更なる統計情報に基づいて、ＣＮ支援ｅＮＢパラメーターを導出することができる。
【０１１６】
ＭＭＥ７がネットワークパラメーターに関連する「有効性情報」を受信する場合には、ＭＭＥ７は、例えば、以下の対応する方法のうちの１つにおいて、有効性情報を適切に取り扱うことができる。
・ＭＭＥ７は、ネットワークパラメーターの有効時間の持続時間、例えば、３０分を有するタイマーを始動することができる。タイマーが満了した後に、ＭＭＥ７は、記憶されたパラメーターを削除することができるか、又は加入情報からのネットワークパラメーターを考慮することなく、ｅＮＢ支援パラメーターを計算することができる。
・ＭＭＥ７は、ネットワークパラメーターが有効である期間（複数の場合もある）にのみ、例えば、ｅＮＢ支援パラメーターを計算するために、加入情報からのネットワークパラメーターを考慮することができる。例えば、２４時間時計における２２：００〜２３：００の時間。
【０１１７】
ＨＳＳ９は、ＭＭＥ７に有効性情報を通知しない場合があることは理解されよう。代わりに、ＨＳＳ９は、ＨＳＳ９内のネットワークパラメーターに変化があるたびに、ネットワークパラメーターをＭＭＥ７にプッシュする（又はアクティブ又は非アクティブにする）ことができる。ＨＳＳは、ＨＳＳ９に記憶された有効性情報に従って、ＭＭＥ７内のネットワークパラメーターを削除又は更新することができる。
【０１１８】
ステップ６（Ｓ１３１０）：ＭＭＥは、例えば、ＴＳ２３．４０１ｖ１３．２．０の４．３．２１．３節において詳述されるようなＳ１シグナリング接続（例えば、Ａｔｔａｃｈ、Ｓｅｒｖｉｃｅ  Ｒｅｑｕｅｓｔ）の設定中にＣＮ支援ｅＮＢパラメーターをｅＮＢに与える。
【０１１９】
ステップ７（Ｓ１３１２）：ＵＥ３のＣＰについての有効性タイマーのうちの１つが満了するとき、満了した有効性タイマーが関連するＣＰが検討対象から除外されることに起因して、ネットワークパラメーターが変化する場合があるので、現時点でアクティブなＣＰ又はＣＰの組の正確なネットワークパラメーターが入手可能であるのを確実にするために、ステップ３〜６が再び実行される。
【０１２０】
ステップ８（Ｓ１３１４）：別のＡＳ／ＳＣＳ１３−１、１３−２からの新たなＣＰ又は既存のＣＰに対する更新がＳＣＥＦ１１に送られるとき、新たなＣＰ又は更新されたＣＰに起因してネットワークパラメーターが変化する場合があるので、現時点でアクティブなＣＰ又はＣＰの組の正確なネットワークパラメーターが入手可能であるのを確実にするために、ステップ２〜６が再び実行される。
【０１２１】
ＳＣＥＦにおけるタイマー処理及びＣＮ支援ｅＮＢパラメーター
図１４は、ＳＣＥＦ１１においてＣＮ支援パラメーター（例えば、ネットワークパラメーターの具体例として）を導出することができ、その有効性情報を取り扱うことができる一例を説明する。
【０１２２】
ステップ１（Ｓ１４００）：第三者サービスプロバイダーのアプリケーションサーバー（ＡＳ）／サービス能力サーバー（ＳＣＳ）１３−１が、ＡＳ／ＳＣＳ１３−１と通信しているＵＥ又はＵＥのグループの新たな又は更新された通信パターンについてのＣＰパラメーターの組を伴う要求又は通知をＳＣＥＦ１１に送る。要求／通知は通常、ＵＥ  ＩＤ（複数の場合もある）と、ＣＰと、利用可能な場合には、対応する有効性情報とを含み、要求側ＡＳ／ＳＣＳのＩＤ（例えば、ＡＳ  ＩＤ）を含む場合もある。
【０１２３】
ステップ２（Ｓ１４０２）：ＳＣＥＦ１１は、更なる情報をＨＳＳ９に照会することができ、認証及び／又は権限付与手順を実行して、その要求を認証し／その要求に権限を付与することができる。ＨＳＳ９は、ＳＣＥＦ１１にサービス公開のためのアーキテクチャ向上（ＡＥＳＥ）能力サポートのインジケーションを与えることができる。例えば、ＨＳＳ９は、ＨＳＳ９及びサービングノードのサポートされる機構のリストをＳＣＥＦ１１に与えることができる。ＳＣＥＦ１１は、ＣＮ支援ｅＮＢパラメーターチューニングの機構がＨＳＳ９及びサービングノードにおいてサポートされる場合にのみ次のステップ（ステップ３）を続行し、サポートされない場合には、更なる要求を破棄又は拒否する。
【０１２４】
ステップ３（Ｓ１４０４）：ＣＰパラメーターセットが有効性情報を伴う場合には、ＣＰがアクティブになるべきときに、直ちに、又は有効性情報によって示される時点において、ＳＣＥＦ１１内の対応するタイマーが始動される。ＳＣＥＦ１１は、特定のＵＥ３の全ての現時点でアクティブなＣＰ（すなわち、有効性情報が利用可能であり、失効されていないＣＰ）を考慮して、オペレーターポリシー又は構成に基づいて、ＣＮ支援ｅＮＢパラメーターを直接導出する。或る特定のＣＰに関する有効性タイマーが満了するとき、もはや考慮される必要がないＣＰの不在（例えば、ＣＰの欠落したデータトラフィックパターン）を考慮するために、ＣＮ支援ｅＮＢパラメーターが再び導出される。ＳＣＥＦ１１は、ＵＥ３の無線アクセス技術（ＲＡＴ）タイプを（例えば、ＨＳＳ、ＭＭＥ又はＯＡＭを介して）検索し、モビリティ情報（例えば、静止インジケーション、静止位置、モビリティエリア、平均モビリティ速度）とともに、予想ハンドオーバー（ＨＯ）間隔の開始値を推定する平均セルサイズを判断することができる。
【０１２５】
ステップ４（Ｓ１４０６）：ＳＣＥＦ１１は、導出されたネットワークパラメーター（ＣＮ支援ｅＮＢパラメーター）をＨＳＳ９に与え、それらのネットワークパラメーターは加入者プロファイルに記憶される。このステップにおけるメッセージは、以下の情報、すなわち、ＵＥ  ＩＤ、ＳＣＥＦ  ＩＤ、アプリケーション（又はサービス）ＩＤ（又は情報）、ネットワークパラメーター（複数の場合もある）（ＣＮ支援ｅＮＢパラメーターを含む）、有効性情報等のうちの少なくとも１つを含むことができる。ＳＣＥＦ１１によって使用されるプロトコルはＤＩＡＭＥＴＥＲとすることができるが、これに限定されない。ＤＩＡＭＥＴＥＲの場合、メッセージは、以下に示されるようなＰｒｏｆｉｌｅ−Ｕｐｄａｔｅ−Ｒｅｑｕｅｓｔメッセージとすることができる（しかし、ＨＳＳ９に送られる任意の他のＤＩＡＭＥＴＥＲメッセージとすることができる）。
< Profile-Update-Request > ::= < Diameter Header: 307, REQ, PXY, 16777217 >
< Session-Id >
{ Vendor-Specific-Application-Id }
{ Auth-Session-State }
{ Origin-Host }
{ Origin-Realm }
[ Destination-Host ]
{ Destination-Realm }
*[ Supported-Features ]
{ User-Identity }
[ Wildcarded-Public-Identity ]
[ Wildcarded-IMPU ]
[ User-Name ]
*{ Data-Reference }
{ User-Data }
[ OC-Supported-Features ]
*[ AVP ]
*[ Proxy- Info ]
*[ Route-Record ]
*[CN assisted eNB Parameters]
【０１２６】
例示的なＰｒｏｆｉｌｅ−Ｕｐｄａｔｅ−Ｒｅｑｕｅｓｔメッセージにおける新たなフィールド／属性値対（ＡＶＰ）「ＣＮ支援ｅＮＢパラメーター」は、１つ以上のＣＮ支援ｅＮＢパラメーター、例えば、以下のパラメーター、すなわち、予想ＵＥ活動挙動、予想ＨＯ間隔、平均ＥＣＭ＿ＩＤＬＥ時間、平均ＥＣＭ＿ＣＯＮＮＥＣＴＥＤ時間、平均ハンドオーバー回数等の値を含む。
【０１２７】
ＳＣｍ参照点が存在する場合には、そのメッセージは、ＨＳＳ９を横切ることなく、ＭＭＥ７に直接送ることができることは理解されたい。この場合に、ステップ５は不要な場合がある。
【０１２８】
ステップ５（Ｓ１４０８）：ＨＳＳ９は、受信されたＣＮ支援ｅＮＢパラメーターを、任意の有効性情報とともに、それぞれのＵＥ加入情報に記憶する。ＨＳＳ９は、或る特定のＣＮ支援ｅＮＢパラメーターの有効性が失効する場合には、ＣＮ支援ｅＮＢパラメーターを自律的に更新することができる。ＨＳＳ９は、更新された加入情報をＭＭＥ７に、例えば、ＵＥ  ＩＤ、ＳＣＥＦ  ＩＤ、アプリケーション（又はサービス）ＩＤ（又は情報）、ネットワークパラメーター（複数の場合もある）、有効性情報、ＣＮ支援ｅＮＢパラメーター等のフィールドのうちの１つ以上を含む、ＤＩＡＭＥＴＥＲ  Ｉｎｓｅｒｔ  Ｓｕｂｓｃｒｉｂｅｒ  Ｄａｔａメッセージにおいてプッシュすることができる。代替的には、ＭＭＥは、ＤＩＡＭＥＴＥＲ  Ｕｐｄａｔｅ  Ｌｏｃａｔｉｏｎ  Ａｎｓｗｅｒにおいて、ＣＮ支援ｅＮＢパラメーターを加入者データとともにダウンロードすることができる。ＭＭＥ７は、受信された加入情報内のネットワークパラメーター（複数の場合もある）に基づいて、及び／又は更なる統計情報に基づいて、ＣＮ支援ｅＮＢパラメーターを導出することができる。ＭＭＥ７は、更なる統計情報に基づいて、受信された加入情報内のＣＮ支援ｅＮＢパラメーターを使用することができる。
【０１２９】
ステップ６（Ｓ１４１０）：ＭＭＥは、例えば、ＴＳ２３．４０１ｖ１３．２．０の４．３．２１．３節において詳述されるようなＳ１シグナリング接続（例えば、Ａｔｔａｃｈ、Ｓｅｒｖｉｃｅ  Ｒｅｑｕｅｓｔ）の設定中にＣＮ支援ｅＮＢパラメーターをｅＮＢに与える。
【０１３０】
ステップ７（Ｓ１４１２）：ＵＥ３のＣＰの有効性タイマーのうちの１つが満了するとき、満了した有効性タイマーが関連するＣＰが検討対象から除外されることに起因して、ネットワークパラメーターが変化する場合があるので、現時点でアクティブなＣＰ又はＣＰの組の正確なネットワークパラメーターが入手可能であるのを確実にするために、ステップ３〜６が再び実行される。
【０１３１】
ステップ８（Ｓ１４１４）：別のＡＳ／ＳＣＳ１３−１、１３−２からの新たなＣＰ又は既存のＣＰに対する更新がＳＣＥＦ１１に送られるとき、新たなＣＰ又は更新されたＣＰに起因してネットワークパラメーターが変化する場合があるので、現時点でアクティブなＣＰ又はＣＰの組の正確なネットワークパラメーターが入手可能であるのを確実にするために、ステップ２〜６が再び実行される。
【０１３２】
アクティブ化／非アクティブ化トリガーの使用
図１５は、特定のＣＰパラメーターセットのアクティブ化／非アクティブ化を開始するアクティブ化／非アクティブ化トリガーとしての役割を果たすステータスフラグのような、関連するステータス情報を伴う通信パターン（ＣＰ）の規定及び使用に従って通常実行される機能のノード独立呼フローを簡略化された概要において示すフローチャートである。
【０１３３】
この例は、限定はしないが、図３のＵＥ３−２において示されるシナリオのような、複数のデバイス（例えば、センサー）がＵＥ３−２を介してネットワークと接続され、異なるＡＳ１３のアプリケーションと独立して通信しているシナリオにおいて特に有益である。通信は同時、又は順次にすることができるので、ＡＳ１３に、関連するＣＰの検討を開始するためにネットワークにアクティブ化トリガーを送信させること、及びＣＰがもはや考慮されるべきでないときに非アクティブ化トリガーを送信させることは特に有用である。この例において、ＣＰはＵＥごとにネットワーク内に、例えば、ＳＣＥＦ１１、ＨＳＳ９、ＭＭＥ７及び／又は任意の他の関与するノード内に記憶される。
【０１３４】
図１５において、各ブロックの機能は、異なるノード、例えば、ＳＣＥＦ、ＨＳＳ、ＭＭＥ、ｅＮＢ又は任意の他の関与するノードに位置することができることは理解されよう。
【０１３５】
図１５に示されるように、フローは、特定のＵＥ（関連するＵＥ  ＩＤによって表される）ＣＰが規定されるときに、Ｓ１５００において開始する。この例におけるＣＰ要求は、ＣＰの識別子（ＣＰ  ＩＤ）と、ネットワークパラメーターを導出するときに、ネットワークがＣＰを考慮すべきであるか否かがわかるように、ＣＰが「アクティブにされる」か否かを示す値を有するステータスフラグとを含む。また、ＣＰ要求は、（例えば、ネットワーク内に以前に記憶されていなかった新たなＣＰのための）ＣＰパラメーターも含むことができる。ステータスフラグは、ＣＰごとＵＥごとに２つの必須値「Ａｃｔｉｖａｔｅ」及び「Ｄｅａｃｔｉｖａｔｅ」を有する。特定のＵＥの新たなＣＰが与えられるが、ステータスフラグが、そのＣＰが非アクティブにされるべきであることを示す場合には、ＡＳ１３が、そのＵＥ３に、ＣＰをアクティブにするトリガーを与えるまで、ネットワークは、関連するＣＰパラメーターセットをメモリに単に記憶する（又は保持する）。非アクティブにされたＣＰの更新は、導出されたネットワークパラメーターを結果として直ちに変更することなく、ネットワーク内に記憶されることになる。
【０１３６】
Ｓ１５０２において、任意の新たにアクティブにされたＣＰ（例えば、ステータスフラグが、そのＣＰがアクティブにされるべきであることを示したＣＰ）を考慮して、適切なネットワークパラメーターが導出される。ＣＰが既に与えられているＵＥ３が、（例えば、ＵＥ上で同時に使用されるアプリケーション、又はＵＥを介して接続される他のエンティティによって使用されているアプリケーションのための）他の関連するアクティブＣＰを有する場合には、ネットワークパラメーターの導出は、同じＵＥ３の他のアクティブにされたＣＰを考慮する。
【０１３７】
ＣＰごとのＣＰパラメーターは、ＣＰのアクティブ化／非アクティブ化のために、ＵＥごとに、ステータスフラグに関連してネットワークに記憶される。
【０１３８】
ネットワークパラメーターが更新されると、それらのネットワークパラメーターは、次の更新まで、Ｓ１５０４においてネットワークに記憶される。
【０１３９】
Ｓ１５０６において、ネットワークパラメーターを用いて、ＣＮ支援ｅＮＢパラメーターを導出する。
【０１４０】
Ｓ１５０８において、ＣＰがアクティブにされるか、若しくは非アクティブにされるか、又はアクティブＣＰが更新されるか、又は同じＵＥの新たなＣＰが到着する場合には、ネットワークパラメーターは、アクティブＣＰの変化を考慮して導出され、その後、ネットワークパラメーターは、Ｓ１５０２において、アクティブＣＰの変化を考慮して再導出され、そのプロセスは基本的に繰り返される。ＣＰのアクティブ化／非アクティブ化は、いつでも、ＣＰの規定から独立していることができることは理解されよう。
【０１４１】
これは、異なる機能がＳＣＥＦ、ＨＳＳ及びＭＭＥ内に位置するときの例を示す以下の図に示される例にも当てはまる。
【０１４２】
ＳＣＥＦにおけるステータスフラグ処理及びＮＷパラメーター、ＭＭＥにおけるＣＮ支援ｅＮＢパラメーター
図１６は、ＭＭＥ７においてＣＮ支援ｅＮＢパラメーター（例えば、ネットワークパラメーターの具体例として）が導出される間、ＳＣＥＦ１１においてステータス情報の処理及びＮＷパラメーターの導出が行われる例を示す。
【０１４３】
ステップ１（Ｓ１６００）：第三者サービスプロバイダーのアプリケーションサーバー（ＡＳ）／サービス能力サーバー（ＳＣＳ）１３−１が、ＡＳ／ＳＣＳ１３−１と通信しているＵＥ又はＵＥのグループの新たな又は更新された通信パターンのためのＣＰパラメーターの組を伴う要求又は通知をＳＣＥＦ１１に送る。要求／通知は通常、ＵＥ  ＩＤ（複数の場合もある）と、ＣＰパラメーターと、利用可能な場合には、この例において、ネットワークがＣＰを考慮すべき（ＣＰをアクティブとして取り扱うべき）であることを示す値「Ａｃｔｉｖａｔｅ」を有する対応するステータスフラグとを含む。
【０１４４】
ステップ２（Ｓ１６０２）：ＳＣＥＦ１１は、更なる情報をＨＳＳ９に照会することができ、認証及び／又は権限付与手順を実行して、その要求を認証し／その要求に権限を付与することができる。ＨＳＳ９は、ＳＣＥＦ１１にサービス公開のためのアーキテクチャ向上（ＡＥＳＥ）能力サポートのインジケーションを与えることができる。例えば、ＨＳＳ９は、ＨＳＳ９及びサービングノードのサポートされる機構のリストをＳＣＥＦ１１に与えることができる。ＳＣＥＦ１１は、ＣＮ支援ｅＮＢパラメーターチューニングの機構がＨＳＳ９及びサービングノードにおいてサポートされる場合にのみ次のステップ（ステップ３）を続行し、サポートされない場合には、更なる要求を破棄又は拒否する。
【０１４５】
ステップ３（Ｓ１６０４）：ＳＣＥＦ１１は、特定のＵＥ３の全てのアクティブなＣＰ（すなわち、値「Ａｃｔｉｖａｔｅ」を有するステータスフラグ）を考慮して、オペレーターポリシー又は構成に基づいて、ネットワークパラメーターを導出する。ＣＰパラメーターセットがステータスフラグを伴う場合には、ＵＥ  ＩＤ、ＣＰ  ＩＤ及びＣＰのステータスフラグの組み合わせがＳＣＥＦ１１に記憶される。ＣＰが非アクティブにされるとき、もはや考慮される必要がないＣＰの不在（例えば、欠落したデータトラフィックパターン）を考慮して、ネットワークパラメーターが再び導出される。
【０１４６】
ステップ４（Ｓ１６０６）：ＳＣＥＦ１１は、導出又はマッピングされたネットワークパラメーターをＨＳＳ９に与え、それらのネットワークパラメーターはＨＳＳ９によって加入者プロファイルに記憶される。このステップ（ステップ４）におけるメッセージは、以下の情報、すなわち、ＵＥ  ＩＤ、ＳＣＥＦ  ＩＤ、アプリケーション（又はサービス）ＩＤ（又は情報）、ネットワークパラメーター（複数の場合もある）、有効性情報等のうちの少なくとも１つを含むことができる。ＳＣＥＦ１１によって使用されるプロトコルは、例えば、ＤＩＡＭＥＴＥＲとすることができるが、これに限定されない。ＤＩＡＭＥＴＥＲの場合、メッセージは、以下に示されるようなＰｒｏｆｉｌｅ−Ｕｐｄａｔｅ−Ｒｅｑｕｅｓｔメッセージとすることができる（しかし、ＨＳＳ９に送られる任意の他のＤＩＡＭＥＴＥＲメッセージとすることができる）。
< Profile-Update-Request > ::= < Diameter Header: 307, REQ, PXY, 16777217 >
< Session-Id >
{ Vendor-Specific-Application-Id }
{ Auth-Session-State }
{ Origin-Host }
{ Origin-Realm }
[ Destination-Host ]
{ Destination-Realm }
*[ Supported-Features ]
{ User-Identity }
[ Wildcarded-Public-Identity ]
[ Wildcarded-IMPU ]
[ User-Name ]
*{ Data-Reference }
{ User-Data }
[ OC-Supported-Features ]
*[ AVP ]
*[ Proxy- Info ]
*[ Route-Record ]
*[Network Parameters]
【０１４７】
例示的なＰｒｏｆｉｌｅ−Ｕｐｄａｔｅ−Ｒｅｑｕｅｓｔメッセージにおける新たなフィールド／属性値対（ＡＶＰ）「ネットワークパラメーター」は通常、以下の値、すなわち、ＭＢＲ、最大バーストデータ、平均ビットレート、予想ビットレート、平均活動間隔、平均アイドル間隔、静止インジケーション、速度等のうちの１つ以上を含む。
【０１４８】
ステップ５（Ｓ１６０８）：ＨＳＳ９は、受信されたネットワークパラメーターを、ステータス情報とともに、それぞれのＵＥ加入情報に記憶する。ＨＳＳ９は、或る特定のネットワークパラメーターのステータスが非アクティブにされる場合には、ネットワークパラメーターを自律的に更新することができる。
【０１４９】
ＨＳＳ９は、更新された加入情報をＭＭＥ７に（例えば、ＵＥ  ＩＤ、ＳＣＥＦ  ＩＤ、アプリケーション（又はサービス）ＩＤ（又は情報）、ネットワークパラメーター（複数の場合もある）、ステータス情報、ネットワークパラメーター等のフィールドのうちの１つ以上を含む、ＤＩＡＭＥＴＥＲ  Ｉｎｓｅｒｔ  Ｓｕｂｓｃｒｉｂｅｒ  Ｄａｔａメッセージにおいて）プッシュすることができるか、又は代替的には、ＭＭＥ７は、ＤＩＡＭＥＴＥＲ  Ｕｐｄａｔｅ  Ｌｏｃａｔｉｏｎ  Ａｎｓｗｅｒにおいて、ＮＷパラメーターを加入者データとともにダウンロードすることができる。
【０１５０】
ＭＭＥ７は、その後、受信された加入情報内のネットワークパラメーター（複数の場合もある）に基づいて、及び／又は更なる統計情報に基づいて、ＣＮ支援ｅＮＢパラメーターを導出することができる。
【０１５１】
ステップ６（Ｓ１６１０）：ＭＭＥは、例えば、ＴＳ２３．４０１ｖ１３．２．０の４．３．２１．３節において詳述されるように、ＣＮ支援ｅＮＢパラメーターをｅＮＢに与える。
【０１５２】
ステップ７（Ｓ１６１２）：アクティブＣＰのうちの１つが非アクティブにされるとき（例えば、ＡＳ／ＳＣＳ１３がステータスフラグ＝「Ｄｅａｃｔｉｖａｔｅ」を有するトリガーを送る場合）、「非アクティブ化」が関連するＣＰが検討対象から除外されることに起因して、ネットワークパラメーターが変化する場合があるので、現時点でアクティブなＣＰ又はＣＰの組の正確なネットワークパラメーターが入手可能であるのを確実にするために、ステップ３〜６が再び実行される。
【０１５３】
ステップ８（Ｓ１６１４）：別のＡＳ／ＳＣＳ１３からの新たなＣＰ又はステータスフラグ＝「Ａｃｔｉｖａｔｅ」を有する既存のＣＰに対する更新がＳＣＥＦ１１に送られるとき、新たなＣＰ又は更新されたＣＰに起因して、ネットワークパラメーターが変化する場合があるので、現時点でアクティブなＣＰ又はＣＰの組の正確なネットワークパラメーターが入手可能であるのを確実にするために、ステップ２〜６が再び実行される。
【０１５４】
ＨＳＳにおけるステータスフラグ処理及びＮＷパラメーター、ＭＭＥにおけるＣＮ支援ｅＮＢパラメーター
図１７は、ＭＭＥ７においてＣＮ支援ｅＮＢパラメーター（例えば、ネットワークパラメーターの具体例として）が導出されるとき、ＳＣＥＦ１１においてステータス情報の処理及びＮＷパラメーターの導出が行われる例を示す。
【０１５５】
ステップ１（Ｓ１７００）：第三者サービスプロバイダーのアプリケーションサーバー（ＡＳ）／サービス能力サーバー（ＳＣＳ）１３−１が、ＡＳ／ＳＣＳ１３−１と通信しているＵＥ又はＵＥのグループの新たな又は更新された通信パターンのためのＣＰパラメーターの組を伴う要求又は通知をＳＣＥＦ１１に送る。要求／通知は通常、ＵＥ  ＩＤ（複数の場合もある）と、ＣＰパラメーターと、利用可能な場合には、この例において、ネットワークがＣＰを考慮すべき（ＣＰをアクティブとして取り扱うべき）であることを示す値「Ａｃｔｉｖａｔｅ」を有する対応するステータスフラグとを含む。
【０１５６】
ステップ２（Ｓ１７０２）：ＳＣＥＦ１１は、更なる情報をＨＳＳ９に照会することができ、認証及び／又は権限付与手順を実行して、その要求を認証し／その要求に権限を付与することができる。ＨＳＳ９は、ＳＣＥＦ１１にサービス公開のためのアーキテクチャ向上（ＡＥＳＥ）能力サポートのインジケーションを与えることができる。例えば、ＨＳＳ９は、ＨＳＳ９及びサービングノードのサポートされる機構のリストをＳＣＥＦ１１に与えることができる。ＳＣＥＦ１１は、ＣＮ支援ｅＮＢパラメーターチューニングの機構がＨＳＳ９及びサービングノードにおいてサポートされる場合にのみ次のステップ（ステップ３）を続行し、サポートされない場合には、更なる要求を破棄又は拒否する。
【０１５７】
ステップ３（Ｓ１７０６）：ＳＣＥＦ１１は、受信された情報（例えば、ＵＥ  ＩＤ、ＣＰパラメーターセット（複数の場合もある）、そして利用可能な場合には、値「Ａｃｔｉｖａｔｅ」を有する対応するステータスフラグ）をＨＳＳ９に与える。このステップにおけるメッセージは、例えば、以下の情報、すなわち、ＵＥ  ＩＤ、ＳＣＥＦ  ＩＤ（ＳＣＥＦ  ＩＤ）、アプリケーション（又はサービス）ＩＤ（又は情報）、ネットワークパラメーター（複数の場合もある）、ステータス情報等のうちの少なくとも１つを含むことができる。ＳＣＥＦ１１によって使用されるプロトコルは、ＤＩＡＭＥＴＥＲとすることができるが、これに限定されない。ＤＩＡＭＥＴＥＲの場合、メッセージは、以下に示されるようなＰｒｏｆｉｌｅ−Ｕｐｄａｔｅ−Ｒｅｑｕｅｓｔメッセージとすることができる（しかし、ＨＳＳ９に送られる任意の他のＤＩＡＭＥＴＥＲメッセージとすることができる）。
< Profile-Update-Request > ::= < Diameter Header: 307, REQ, PXY, 16777217 >
< Session-Id >
{ Vendor-Specific-Application-Id }
{ Auth-Session-State }
{ Origin-Host }
{ Origin-Realm }
[ Destination-Host ]
{ Destination-Realm }
*[ Supported-Features ]
{ User-Identity }
[ Wildcarded-Public-Identity ]
[ Wildcarded-IMPU ]
[ User-Name ]
*{ Data-Reference }
{ User-Data }
[ OC-Supported-Features ]
*[ AVP ]
*[ Proxy- Info ]
*[ Route-Record ]
*[Communication Pattern]
【０１５８】
例示的なＰｒｏｆｉｌｅ−Ｕｐｄａｔｅ−Ｒｅｑｕｅｓｔメッセージにおける新たなフィールド／属性値対（ＡＶＰ）「通信パターン」は通常、ＳＣＥＦ１１によってＡＳ／ＳＣＳ１３−１から受信されるような、トラフィック及びモビリティ挙動を記述するＣＰパラメーター値のうちの１つ以上を含む。例は、周期通信インジケーター、通信持続時間タイマー、周期時間、スケジューリング通信時間、通信あたりの平均データ量、静止インジケーション、静止位置、モビリティエリア、平均モビリティ速度等を含む。
【０１５９】
さらに、新たなフィールド／ＡＶＰ「通信パターン」は、値「Ａｃｔｉｖａｔｅ」を有する対応するステータスフラグを含むことができる。
【０１６０】
ステップ４（Ｓ１７０４）：ＨＳＳ９は、特定のＵＥ３の全てのアクティブなＣＰ（すなわち、値「Ａｃｔｉｖａｔｅ」を有するステータスフラグ）を考慮して、オペレーターポリシー又は構成に基づいて、ネットワークパラメーター（複数の場合もある）を導出する。
【０１６１】
ＨＳＳ９によって受信されたＣＰパラメーターセットがステータスフラグを伴う場合には、ＵＥ  ＩＤ、ＣＰ及びＣＰのステータスフラグの組み合わせがＨＳＳ９に記憶される。ＣＰが非アクティブにされるとき、もはや考慮される必要がないＣＰの不在（例えば、欠落したデータトラフィックパターン）を考慮するために、ネットワークパラメーターを再び導出することができる。ネットワークパラメーターは、ＨＳＳ９内の加入者プロファイルに記憶される。
【０１６２】
ステップ５（Ｓ１７０８）：ＨＳＳ９は、導出されたネットワークパラメーターを、関連するステータス情報とともに、それぞれのＵＥ加入情報（例えば、加入者プロファイル）に記憶する。ＨＳＳ９は、或る特定のネットワークパラメーターのステータスが非アクティブにされる場合には、記憶されたＣＰ／ネットワークパラメーターを自律的に更新することができる。ＨＳＳ９は、更新された加入情報をＭＭＥ７に、例えば、ＵＥ  ＩＤ、ＳＣＥＦ  ＩＤ、アプリケーション（又はサービス）ＩＤ（又は情報）、ネットワークパラメーター（複数の場合もある）、ステータス情報、ネットワークパラメーター等のフィールドのうちの１つ以上を含む、ＤＩＡＭＥＴＥＲ  Ｉｎｓｅｒｔ  Ｓｕｂｓｃｒｉｂｅｒ  Ｄａｔａメッセージにおいてプッシュすることができる。ＭＭＥ７にネットワークパラメーターをプッシュする代わりとして、ＭＭＥ７は、ＤＩＡＭＥＴＥＲ  Ｕｐｄａｔｅ  Ｌｏｃａｔｉｏｎ  Ａｎｓｗｅｒにおいて、ネットワークパラメーターを加入者データとともにダウンロードすることができる。
【０１６３】
ＭＭＥ７は、その後、受信された加入情報内のネットワークパラメーター（複数の場合もある）に基づいて、及び／又は更なる統計情報に基づいて、ＣＮ支援ｅＮＢパラメーターを導出することができる。
【０１６４】
ステップ６（Ｓ１７１０）：ＭＭＥは、例えば、ＴＳ２３．４０１ｖ１３．２．０の４．３．２１．３節において詳述されるように、ＣＮ支援ｅＮＢパラメーターをｅＮＢに与える。
【０１６５】
ステップ７（Ｓ１７１２）：アクティブＣＰのうちの１つが非アクティブにされるとき（例えば、ＡＳ／ＳＣＳ１３がステータスフラグ＝「Ｄｅａｃｔｉｖａｔｅ」を有するトリガーを送る場合）、「非アクティブ化」が関連するＣＰが検討対象から除外されることに起因して、ネットワークパラメーターが変化する場合があるので、現時点でアクティブなＣＰ又はＣＰの組の正確なネットワークパラメーターが入手可能であるのを確実にするために、ステップ３〜６が再び実行される。
【０１６６】
ステップ８（Ｓ１７１４）：別のＡＳ／ＳＣＳ１３からの新たなＣＰ又はステータスフラグ＝「Ａｃｔｉｖａｔｅ」を有する既存のＣＰに対する更新がＳＣＥＦ１１に送られるとき、新たなＣＰ又は更新されたＣＰに起因して、ネットワークパラメーターが変化する場合があるので、現時点でアクティブなＣＰ又はＣＰの組の正確なネットワークパラメーターが入手可能であるのを確実にするために、ステップ２〜６が再び実行される。
【０１６７】
ＳＣＥＦにおけるステータスフラグ処理及びＣＮ支援ｅＮＢパラメーター
図１８は、ＳＣＥＦ１１においてＣＮ支援パラメーターを（例えば、ネットワークパラメーターの具体例として）導出することができ、そのステータス情報を取り扱うことができる一例を示す。
【０１６８】
ステップ１（Ｓ１８００）：第三者サービスプロバイダーのアプリケーションサーバー（ＡＳ）／サービス能力サーバー（ＳＣＳ）１３−１が、ＡＳ／ＳＣＳ１３−１と通信しているＵＥ又はＵＥのグループの新たな又は更新された通信パターンのためのＣＰパラメーターの組を伴う要求又は通知をＳＣＥＦ１１に送る。要求／通知は通常、ＵＥ  ＩＤ（複数の場合もある）と、ＣＰパラメーターと、利用可能な場合には、この例において、ネットワークがＣＰを考慮すべき（ＣＰをアクティブとして取り扱うべき）であることを示す値「Ａｃｔｉｖａｔｅ」を有する対応するステータスフラグとを含む。
【０１６９】
ステップ２（Ｓ１８０２）：ＳＣＥＦ１１は、更なる情報をＨＳＳ９に照会することができ、認証及び／又は権限付与手順を実行して、その要求を認証し／その要求に権限を付与することができる。ＨＳＳ９は、ＳＣＥＦ１１にサービス公開のためのアーキテクチャ向上（ＡＥＳＥ）能力サポートのインジケーションを与えることができる。例えば、ＨＳＳ９は、ＨＳＳ９及びサービングノードのサポートされる機構のリストをＳＣＥＦ１１に与えることができる。ＳＣＥＦ１１は、ＣＮ支援ｅＮＢパラメーターチューニングの機構がＨＳＳ９及びサービングノードにおいてサポートされる場合にのみ次のステップ（ステップ３）を続行し、サポートされない場合には、更なる要求を破棄又は拒否する。
【０１７０】
ステップ３（Ｓ１８０４）：ＳＣＥＦ１１は、特定のＵＥ３の全ての現時点でアクティブなＣＰ（すなわち、値「Ａｃｔｉｖａｔｅ」を有するステータスフラグを有するＣＰ）を考慮して、オペレーターポリシー又は構成に基づいて、ＣＮ支援ｅＮＢパラメーターを直接導出する。ＣＰパラメーターセットがステータスフラグを伴う場合には、ＵＥ  ＩＤ、ＣＰ及びＣＰのためのステータスフラグの組み合わせがＳＣＥＦ１１に記憶される。ＣＰが非アクティブにされるとき、もはや考慮される必要がないＣＰの不在（例えば、ＣＰの欠落したデータトラフィックパターン）を考慮して、ＣＮ支援ｅＮＢパラメーターが再び導出される。ＳＣＥＦ１１は、ＵＥ３のための無線アクセス技術（ＲＡＴ）タイプを（例えば、ＨＳＳ、ＭＭＥ又はＯＡＭを介して）検索し、モビリティ情報（例えば、静止インジケーション、静止位置、モビリティエリア、平均モビリティ速度）とともに、予想ハンドオーバー（ＨＯ）間隔の開始値を推定する平均セルサイズを判断することができる。
【０１７１】
ステップ４（Ｓ１８０６）：ＳＣＥＦ１１は、導出されたネットワークパラメーター（ＣＮ支援ｅＮＢパラメーター）をＨＳＳ９に与え、それらのネットワークパラメーターは加入者プロファイルに記憶される。このステップにおけるメッセージは、以下の情報、すなわち、ＵＥ  ＩＤ、ＳＣＥＦ  ＩＤ、アプリケーション（又はサービス）ＩＤ（又は情報）、ネットワークパラメーター（複数の場合もある）（ＣＮ支援ｅＮＢパラメーターを含む）、ステータス情報等のうちの少なくとも１つを含むことができる。ＳＣＥＦ１１によって使用されるプロトコルはＤＩＡＭＥＴＥＲとすることができるが、これに限定されない。ＤＩＡＭＥＴＥＲの場合、メッセージは、以下に示されるようなＰｒｏｆｉｌｅ−Ｕｐｄａｔｅ−Ｒｅｑｕｅｓｔメッセージとすることができる（しかし、ＨＳＳ９に送られる任意の他のＤＩＡＭＥＴＥＲメッセージとすることができる）。
< Profile-Update-Request > < Diameter Header: 307, REQ, PXY, 16777217 >
< Session-Id >
{ Vendor-Specific-Application-Id }
{ Auth-Session-State }
{ Origin-Host }
{ Origin-Realm }
[ Destination-Host ]
{ Destination-Realm }
*[ Supported-Features ]
{ User-Identity }
[ Wildcarded-Public-Identity ]
[ Wildcarded-IMPU ]
[ User-Name ]
*{ Data-Reference }
{ User-Data }
[ OC-Supported-Features ]
*[ AVP ]
*[ Proxy- Info ]
*[ Route-Record ]
*[CN assisted eNB Parameters]
【０１７２】
例示的なＰｒｏｆｉｌｅ−Ｕｐｄａｔｅ−Ｒｅｑｕｅｓｔメッセージにおける新たなフィールド／属性値対（ＡＶＰ）「ＣＮ支援ｅＮＢパラメーター」は、１つ以上のＣＮ支援ｅＮＢパラメーター、例えば、以下のパラメーター、すなわち、予想ＵＥ活動挙動、予想ＨＯ間隔、平均ＥＣＭ＿ＩＤＬＥ時間、平均ＥＣＭ＿ＣＯＮＮＥＣＴＥＤ時間、平均ハンドオーバー回数等の値を含む。
【０１７３】
ステップ５（Ｓ１８０８）：ＨＳＳ９は、受信されたＣＮ支援ｅＮＢパラメーターを、任意のステータス情報とともに、それぞれのＵＥ加入情報に記憶する。ＨＳＳ９は、或る特定のＣＮ支援ｅＮＢパラメーターのステータスが非アクティブにされる場合には、ＣＮ支援ｅＮＢパラメーターを自律的に更新することができる。ＨＳＳ９は、更新された加入情報をＭＭＥ７に、例えば、ＵＥ  ＩＤ、ＳＣＥＦ  ＩＤ、アプリケーション（又はサービス）ＩＤ（又は情報）、ネットワークパラメーター（複数の場合もある）、有効性情報、ＣＮ支援ｅＮＢパラメーター等のフィールドのうちの１つ以上を含む、ＤＩＡＭＥＴＥＲ  Ｉｎｓｅｒｔ  Ｓｕｂｓｃｒｉｂｅｒ  Ｄａｔａメッセージにおいてプッシュすることができる。代替的には、ＭＭＥは、ＤＩＡＭＥＴＥＲ  Ｕｐｄａｔｅ  Ｌｏｃａｔｉｏｎ  Ａｎｓｗｅｒにおいて、ＣＮ支援ｅＮＢパラメーターを加入者データとともにダウンロードすることができる。ＭＭＥは、更なる統計情報に基づいて、加入から受信されたＣＮ支援ｅＮＢパラメーター（複数の場合もある）を使用することができる。ＭＭＥ７は、更なる統計情報に基づいて、受信された加入情報内のＣＮ支援ｅＮＢパラメーターを使用することができる。
【０１７４】
ステップ６（Ｓ１８１０）：ＭＭＥは、例えば、ＴＳ２３．４０１ｖ１３．２．０の４．３．２１．３節において詳述されるように、ＣＮ支援ｅＮＢパラメーターをｅＮＢに与える。
【０１７５】
ステップ（Ｓ１８１２）：アクティブＣＰのうちの１つが非アクティブにされる（ここでは、ＡＳがステータスフラグ＝「Ｄｅａｃｔｉｖａｔｅ」を有するトリガーを送る）とき、満了した有効性タイマーが関連するＣＰが検討対象から除外されることに起因してネットワークパラメーターが変化する場合があるので、現時点でアクティブなＣＰ又はＣＰの組の正確なネットワークパラメーターが入手可能であるのを確実にするために、ステップ３〜６が再び実行される。
【０１７６】
ステップ８（Ｓ１４１４）：別のＡＳ／ＳＣＳ１３−１、１３−２からの新たなＣＰ又は既存のＣＰに対する更新がＳＣＥＦ１１に送られるとき、「非アクティブ化」が関連するＣＰが検討対象から除外されることに起因してネットワークパラメーターが変化する場合があるので、現時点でアクティブなＣＰ又はＣＰの組の正確なネットワークパラメーターが入手可能であるのを確実にするために、ステップ２〜６が再び実行される。
【０１７７】
ステップ８（Ｓ１７１４）：別のＡＳ／ＳＣＳ１３からの新たなＣＰ又はステータスフラグ＝「Ａｃｔｉｖａｔｅ」を有する既存のＣＰに対する更新がＳＣＥＦ１１に送られるとき、新たなＣＰ又は更新されたＣＰに起因して、ネットワークパラメーターが変化する場合があるので、現時点でアクティブのＣＰ又はＣＰの組の正確なネットワークパラメーターが入手可能であるのを確実にするために、ステップ２〜６が再び実行される。
【０１７８】
利点、変更形態及び代替形態
詳細な実施形態がこれまで説明されてきた。当業者は理解することになるように、これらの実施形態の特徴から複数の利点が生じ、本明細書において具現される本発明から依然として利益を得ながら、上記の実施形態に対する複数の変更形態及び代替形態を行うことができる。例示にすぎないが、ここで、幾つかのこれらの利点、代替形態及び変更形態が説明されることになる。
【０１７９】
上記の例示的なプロセスの前提条件として、ＭＭＥ７及びＨＳＳ９は、ＳＣＥＦ１１に対するサポートの能力を示すことができることは理解されよう。これは、例えば、サービングノード（例えば、ＭＭＥ、ＳＧＳＮ等）からＨＳＳ９への任意のＤＩＡＭＥＴＥＲ  Ｕｐｄａｔｅ−Ｌｏｃａｔｉｏｎ−Ｒｅｑｕｅｓｔ（ＵＬＲ）Ｃｏｍｍａｎｄにおいて、若しくはＨＳＳ９への任意の他のＤＩＡＭＥＴＥＲメッセージにおいて、又はＸＭＬ、ＲＡＤＩＵＳ等の任意の他のプロトコルにおいて行うことができる。また、ＨＳＳ９もその機構をサポートするとき、すなわち、サービングノード及びＨＳＳが特定のＡＥＳＥ機構をサポートするとき、この能力は、後の要求において、ＳＣＥＦ１１に提供することができる。ＳＣＥＦ１１からの要求がＵＥごとであり、ＵＥ３のサービングノードにも関連している場合には、ＨＳＳ９は、組み合わせられた／一致した能力情報のみを与えることができるか、又は能力情報を別個に与えることができる。能力一致手順は、図１２〜図１４及び図１６〜図１８に示される呼フローのステップ２において適用される場合がある。サービングノードが任意の能力情報を与える前にＳＣＥＦ１１からの要求が到着した場合、例えば、オペレーターポリシー又は構成に基づいて、ＨＳＳ９能力のみが提供されるか、ＨＳＳ９がサービングノードの能力について学習するまで、一致した能力を未サポートに設定するか、又はＨＳＳ９は、能力サポートに関して直前のサービングノードに照会する（既知の場合）。
【０１８０】
上記の例は、組み合わせて、又は適用可能な場合には別個に実施形態に組み込むことができる幾つかの特に有益な特徴を含むことを見て取ることができ、それらの特徴は、ＵＥごとのアクティブＣＰを累積し、アクティブＣＰの総量に対するネットワークパラメーター及び／又はＣＮ支援ｅＮＢパラメーターを導出することと、ＣＰごとＵＥごとの有効時間及び／又はアクティブ化／非アクティブ化トリガーを規定することと、ＳＣＥＦからＨＳＳへのＤＩＡＭＥＴＥＲ  Ｐｒｏｆｉｌｅ−Ｕｐｄａｔｅ−Ｒｅｑｕｅｓｔメッセージにおける新たなフィールド／ＡＶＰ（例えば、ＣＰパラメーター、ネットワークパラメーター又はＣＮ支援ｅＮＢパラメーターを与えるため）と、ＳＣＥＦ、ＨＳＳ又は任意の他の関与するノードにおいてＣＰ、ＵＥ  ＩＤ、有効時間又はステータスフラグの結び付きを生成することと、関与するノードのいずれかにおける結び付きを記憶すること（ただし、ＳＣＥＦ及び／又はＨＳＳが好ましい）と、ＵＥごとのアクティブＣＰの組に変化があるときに、ネットワークパラメーター及び／又はＣＮ支援ｅＮＢパラメーターを更新することと、サービングノード及びＨＳＳからの複合的な又は別々のＡＥＳＥ機構能力インジケーションとを含む。
【０１８１】
特に有利な特徴は、アプリケーションごとに個別の有効時間／間隔を用いて単一又は複数のアプリケーションの場合のネットワークパラメーターの動的変更をサポートする能力インジケーションを規定することである。
【０１８２】
本明細書において説明されるように、ホーム加入者サーバーは、モビリティ管理エンティティ「ＭＭＥ」に、関連する有効時間とともに、通信パターンに関連付けられるパラメーターの少なくとも１組を与えるように構成される送信機を備えることができる。送信機は、加入プロトコル情報において通信パターンに関連付けられるパラメーターの少なくとも１組を与えることができる。ＳＣＥＦから、関連する有効時間とともに受信された少なくとも１つの通信パターンパラメーターセットは、ＳＣＥＦ参照ＩＤとともに受信される場合がある。
【０１８３】
本明細書において説明されるように、モビリティ管理エンティティにおいて、コントローラーは、コアネットワーク支援発展型ノードＢ「ＣＮ支援ｅＮＢ」パラメーターの値を導出するための入力として、ＨＳＳから受信された通信パターンに関連付けられるパラメーターの少なくとも１組を使用するように構成することができる。
【０１８４】
本明細書において説明されるように、サービス能力公開機能において、ＳＣＳ／ＡＳから、関連する有効時間とともに受信された少なくとも１つの通信パターンパラメーターセットは、ＳＣＳ／ＡＳの識別子とともに受信される場合がある。
【０１８５】
無線アクセス技術はＥ−ＵＴＲＡには限定されず、以下の標準規格、すなわち、ＬＴＥ，ＵＭＴＳ、ＧＰＲＳ、ＷｉＦｉ、ＷｉＭＡＸ等のうちの１つ以上による任意の適切なアクセス技術を含むことができることは理解されよう。
【０１８６】
上記の説明は、ＧＳＭ（登録商標）、ＧＰＲＳ、ＵＭＴＳ、ＨＳＰＡ、ＬＴＥ、ＬＴＥ−Ａアクセス等を用いて、３ＧＰＰモバイルネットワークに適用可能な場合があることは理解されよう。しかしながら、上記の説明は、そのようなネットワークには限定されず、例えば、ＣＤＭ２０００、Ｂｌｕｅｔｏｏｔｈ（登録商標）、種々の８０２．１１規格、ＺｉｇＢｅｅ等の任意の他のセルラー又はモバイルネットワーク、すなわち、ＣＳ対応モバイルデバイス（ＵＥ）が接続することができる任意のアクセス技術及びコアネットワーク技術の場合に、同様に使用することができる。
【０１８７】
上記実施形態において、モバイル電話に基づく電気通信システムが説明された。当業者であれば理解するように、本出願において記載されるシグナリング技法は、他の通信システムにおいて用いられてもよい。他の通信ノード又はデバイスは、例えば、携帯情報端末、ラップトップ／タブレットコンピューター、ブックレットコンピューター、無線ルーター、ウェブブラウザー、電子書籍リーダー等のユーザーデバイスを含むことができる。当業者であれば理解するように、上記のシステムがモバイル通信デバイスのために用いられることは必須ではない。システムは、モバイル通信デバイスに加えて又はその代わりに、１つ以上の固定通信デバイスを有するネットワークを改善するように用いられてもよい。
【０１８８】
上記の実施形態では、複数のソフトウェアモジュールが記載された。当業者であれば理解するように、それらのソフトウェアモジュールは、コンパイル済みの形式又は未コンパイルの形式において与えることができ、コンピューターネットワークを介して信号として、又は記録媒体においてノードに供給することができる。さらに、このソフトウェアの一部又は全部によって実行される機能は、１つ以上の専用のハードウェア回路を用いて実行することもできる。しかしながら、ソフトウェアモジュールの使用によって、ノードの機能を更新するためにこのノードを更新することが容易になるため、ソフトウェアモジュールの使用が好ましい。同様に、上記の実施形態は送受信機回路を用いたが、送受信機回路の機能のうちの少なくとも幾つかは、ソフトウェアによって実行することができる。
【０１８９】
上記で示されたように、１つの例において、通信ネットワークのホーム加入者サーバー「ＨＳＳ」が提供され、ＨＳＳは、サービス能力公開機能「ＳＣＥＦ」から、関連する有効時間とともに、少なくとも１つの通信パターンパラメーターセットを受信するように構成される受信機と、少なくとも１つの通信パターンパラメーターセットを記憶し、ＨＳＳに記憶される通信パターンパラメーターセットの有効時間が満了するときに、関連する通信パターンパラメーターセットを自律的に削除するように構成されるコントローラーとを備える。この例において、ホーム加入者サーバーは、モビリティ管理エンティティ「ＭＭＥ」に、関連する有効時間とともに、通信パターンに関連付けられるパラメーターの少なくとも１組を与えるように構成される送信機を更に備えることができる。送信機は、加入プロトコル情報において通信パターンに関連付けられるパラメーターの少なくとも１組を与えることができる。ＳＣＥＦから、関連する有効時間とともに受信される少なくとも１つの通信パターンパラメーターセットは、ＳＣＥＦ参照ＩＤとともに受信される場合がある。
【０１９０】
上記のように、１つの例において、通信ネットワークのモビリティ管理エンティティ「ＭＭＥ」が提供され、ＭＭＥは、ホーム加入者サーバー「ＨＳＳ」から、関連する有効時間とともに、通信パターンに関連付けられるパラメーターの少なくとも１組を受信するように構成される受信機と、関連する通信パターンの受信されたパラメーターセットを記憶し、ＭＭＥに記憶されたパラメーターセットの有効時間が満了するときに、そのパラメーターセットを自律的に削除するように構成されるコントローラーとを備える。この例において、コントローラーは、コアネットワーク支援発展型ノードＢ「ＣＮ支援ｅＮＢ」パラメーターの値を導出するための入力として、ＨＳＳから受信された通信パターンに関連付けられるパラメーターの少なくとも１組を使用するように更に構成することができる。
【０１９１】
上記で示されたように、１つの例において、通信ネットワークのサービス能力公開機能「ＳＣＥＦ」が提供され、ＳＣＥＦは、サービス能力サーバー／アプリケーションサーバー「ＳＣＳ／ＡＳ」から、関連する有効時間とともに、少なくとも１つの通信パターン「ＣＰ」パラメーターセットを受信するように構成される受信機と、ホーム加入者サーバー「ＨＳＳ」に、少なくとも１つのＣＰパラメーター及び関連する有効時間を送信するように構成される送信機とを備える。この例において、ＳＣＳ／ＡＳから、関連する有効時間とともに受信される少なくとも１つの通信パターンパラメーターセットは、ＳＣＳ／ＡＳの識別子とともに受信される場合がある。また、ＳＣＥＦは、ＳＣＳ／ＡＳからの記憶されたＣＰパラメーターセットの更新の受信時に、更新されたＣＰパラメーターセット（及び／又は更新されたＣＰパラメーターセットの有効時間）を導出することと、記憶されたＣＰパラメーターセット（及び／又は更新が関連する記憶されたＣＰパラメーターセットの有効時間）を追加するか、変更するか、又は削除することとのうちの少なくとも１つを行うように構成されるコントローラーを備えることができ、送信機は、結果として更新された／追加された／変更された任意のＣＰパラメーターセット（及び／又は有効時間）をＨＳＳに送信するように構成することができる。
【０１９２】
種々の他の変更は当業者には明らかであり、ここでは、これ以上詳しくは説明しない。
【０１９３】
略語一覧
AESE Architecture Enhancements for Service Exposure
SCEF Service Capability Exposure Function
CP Communication Pattern
MME Mobility Management Entity
HO Handover
AS Application Server
UE User Equipment
API Application Programming Interface
eNB Evolved NodeB
HSS Home Subscriber Server
SCS Service Capability Server
NW Network
AVP Attribute Value Pair
【図１】
2020099084.tif 000003
【図２】
2020099084.tif 000004
【図３】
2020099084.tif 000005
【図４】
2020099084.tif 000006
【図５】
2020099084.tif 000007
【図６】
2020099084.tif 000008
【図７】
2020099084.tif 000009
【図８】
2020099084.tif 000010
【図９】
2020099084.tif 000011
【図１０】
2020099084.tif 000012
【図１１】
2020099084.tif 000013
【図１２】
2020099084.tif 000014
【図１３】
2020099084.tif 000015
【図１４】
2020099084.tif 000016
【図１５】
2020099084.tif 000017
【図１６】
2020099084.tif 000018
【図１７】
2020099084.tif 000019
【図１８】
2020099084.tif 000020